(57)【特許請求の範囲】
【請求項１】
周波数分割二重化（ＦＤＤ）−時分割二重化（ＴＤＤ）キャリアアグリゲーション（ＣＡ）をサポートするユーザ機器（ＵＥ）と、第１の二重化モードキャリアで前記ＵＥと通信するように動作する第１のアクセスノードと、第２の二重化モードキャリアで前記ＵＥと通信するように動作する第２のアクセスノードとを含む無線通信システムにおける、前記第１のアクセスノードで実施される方法であって、
前記ＵＥに、プライマリコンポーネントキャリア（ＰＣｅｌｌ）として前記第１の二重化モードキャリアで前記第１のアクセスノードを通してデータ送信するために、第１の無線リソース制御（ＲＲＣ）シグナリングを送信することと、
前記ＵＥに、セカンダリコンポーネントキャリア（ＳＣｅｌｌ）として前記第２の二重化モードキャリアで前記第２のアクセスノードを通してデータ送信するために、第２のＲＲＣシグナリングを前記ＰＣｅｌｌで送信することと、
ネットワークバックホールを介して、前記ＰＣｅｌｌ及び前記ＳＣｅｌｌでの下りリンクデータ送信をスケジュールすることと、
第１の二重化モード下りリンク制御情報（ＤＣＩ）フォーマットを使用して、前記ＰＣｅｌｌ及び前記ＳＣｅｌｌでの下りリンクデータ送信を前記ＵＥに通知することと、を含むことにより、
前記ＵＥに、前記第１の二重化モードのＤＣＩフォーマットの処理において、前記ＰＣｅｌｌで受信されるものと同じサイズのＤＣＩフォーマットを、下りリンクスケジューリング及び上りリンクスケジューリングで前記ＰＣｅｌｌ及び前記ＳＣｅｌｌに提供するよう制御させ、
前記ＵＥに、前記ＳＣｅｌｌの下りリンクスケジューリングを受信すると、第１の二重化モードタイミング規則を前記ＰＣｅｌｌへのＨＡＲＱ−ＡＣＫのフィードバックに適用するよう制御させ、
前記ＵＥに、前記ＳＣｅｌｌキャリアでの上りリンクデータ送信の上りリンクグラントを受信すると、前記第１の二重化モードタイミング規則を、前記ＳＣｅｌｌへの物理上りリンク共用チャネル（ＰＵＳＣＨ）の送信に適用するよう制御させる、
シグナリング方法。
【請求項２】
前記第２のＲＲＣシグナリングは専用ＲＲＣシグナリングを含む、請求項１に記載のシグナリング方法。
【請求項３】
前記第１の二重化モードキャリアはＦＤＤであり、前記第２の二重化モードキャリアはＴＤＤである、請求項１に記載のシグナリング方法。
【請求項４】
前記第１の二重化モードキャリアはＴＤＤであり、前記第２の二重化モードキャリアはＦＤＤである、請求項１に記載のシグナリング方法。
【請求項５】
クロスキャリアスケジューリングを使用して前記ＳＣｅｌｌでのデータ送信のスケジューリングを実行することを更に含む、請求項１に記載のシグナリング方法。
【請求項６】
自己スケジューリングを使用して集約ＳＣｅｌｌでのデータ送信のスケジューリングを実行することを更に含む、請求項１に記載のシグナリング方法。
【請求項７】
前記ＵＥは、前記ＰＣｅｌｌ及び前記ＳＣｅｌｌでのデータ受信に応答して、第１の二重化モードタイミング及びフィードバック規則に従って、ハイブリッド自動再送要求肯定応答（ＨＡＲＱ−ＡＣＫ）を前記第１のアクセスノードにフィードバックする、請求項１に記載のシグナリング方法。
【請求項８】
前記ＰＣｅｌｌ及び前記ＳＣｅｌｌでの前記ＵＥからの上りリンクデータ送信をスケジュールすることと、
第１の二重化モード上りリンクスケジューリングタイミング規則を使用して、ＰＣｅｌｌ送信及びＳＣｅｌｌ送信に対する上りリンクグラントを送信することと、
を更に含む、請求項１に記載のシグナリング方法。
【請求項９】
前記ＰＣｅｌｌのみでの下りリンクデータ送信をスケジュールすることを更に含み、
前記第２のアクセスノードは、前記ＳＣｅｌｌのみでの下りリンクデータ送信をスケジュールする、請求項６に記載のシグナリング方法。
【請求項１０】
前記ＵＥは、前記ＰＣｅｌｌでのデータ受信に応答して、第１の二重化モードタイミング及びフィードバック規則に従って、ハイブリッド自動再送要求肯定応答（ＨＡＲＱ−ＡＣＫ）を前記第１のアクセスノードにフィードバックするとともに、前記ＳＣｅｌｌでのデータ受信に応答して、ＴＤＤタイミング及びフィードバック規則に従って、ＨＡＲＱ−ＡＣＫを前記第２のアクセスノードにフィードバックする、請求項９に記載のシグナリング方法。
【請求項１１】
ＰＵＣＣＨにおいて前記ＳＣｅｌｌの前記ＨＡＲＱ−ＡＣＫを受信すると、バックホールを介して、前記受信したＳＣｅｌｌのＨＡＲＱ−ＡＣＫを前記第２のアクセスノードに転送することを更に含む、請求項１０に記載のシグナリング方法。
【請求項１２】
第１の二重化モード下りリンク制御情報（ＤＣＩ）フォーマットを使用して、前記ＰＣｅｌｌでの下りリンクデータ送信を前記ＵＥに通知することを更に含み、
前記第２のアクセスノードは、第２の二重化モードＤＣＩフォーマットを使用して、前記ＳＣｅｌｌでの下りリンクデータ送信を前記ＵＥに通知する、請求項９に記載のシグナリング方法。
【請求項１３】
前記ＰＣｅｌｌでの前記ＵＥからの上りリンクデータ送信をスケジュールすることと、
第１の二重化モード上りリンクスケジューリングタイミング規則を使用して、ＰＣｅｌｌ送信の上りリンクグラントを送信することと、
を更に含む、請求項９に記載のシグナリング方法。
【請求項１４】
前記第２のアクセスノードは、前記ＳＣｅｌｌでの前記ＵＥからの上りリンクデータ送信をスケジュールし、第２の二重化モード上りリンクスケジューリングタイミング規則を使用して、ＳＣｅｌｌ送信の上りリンクグラントを送信する、請求項１３に記載のシグナリング方法。
【請求項１５】
前記第１の二重化モードはＦＤＤであり、前記第２の二重化モードはフレキシブルＴＤＤである、請求項９に記載のシグナリング方法。
【請求項１６】
周波数分割二重化（ＦＤＤ）−時分割二重化（ＴＤＤ）キャリアアグリゲーション（ＣＡ）をサポートするユーザ機器（ＵＥ）と、第１の二重化モードキャリアで前記ＵＥと通信するように動作する第１のアクセスノードと、第２の二重化モードキャリアで前記ＵＥと通信するように動作する第２のアクセスノードとを含む無線通信システムにおいて、前記ＵＥで実施されるシグナリング方法であって、
前記第１のアクセスノードから、プライマリコンポーネントキャリア（ＰＣｅｌｌ）として前記第１の二重化モードキャリアで前記第１のアクセスノードを通してデータ送信するために、第１の無線リース制御（ＲＲＣ）シグナリングを受信することと、
前記第１のアクセスノードから、セカンダリコンポーネントキャリア（ＳＣｅｌｌ）として前記第２の二重化モードキャリアで前記第２のアクセスノードを通してデータ送信するために、第２のＲＲＣシグナリングを前記ＰＣｅｌｌで受信することと、
を含み、
前記第１のアクセスノードがネットワークバックホールを介して、前記ＰＣｅｌｌ及び前記ＳＣｅｌｌでの下りリンクデータ送信がスケジュールされた後、
第１の二重化モード下りリンク制御情報（ＤＣＩ）フォーマットを使用して、前記ＰＣｅｌｌ及び前記ＳＣｅｌｌでの下りリンクデータ送信の通知を受信し、
前記第１の二重化モードのＤＣＩフォーマットの処理において、前記ＰＣｅｌｌで受信されるものと同じサイズのＤＣＩフォーマットを、下りリンクスケジューリング及び上りリンクスケジューリングで前記ＰＣｅｌｌ及び前記ＳＣｅｌｌに提供し、
前記ＳＣｅｌｌの下りリンクスケジューリングを受信すると、第１の二重化モードタイミング規則を前記ＰＣｅｌｌへのＨＡＲＱ−ＡＣＫのフィードバックに適用し、
前記ＳＣｅｌｌキャリアでの上りリンクデータ送信の上りリンクグラントを受信すると、前記ＵＥは、前記第１の二重化モードタイミング規則を、前記ＳＣｅｌｌへの物理上りリンク共用チャネル（ＰＵＳＣＨ）の送信に適用する、
シグナリング方法。
【請求項１７】
周波数分割二重化（ＦＤＤ）−時分割二重化（ＴＤＤ）キャリアアグリゲーション（ＣＡ）をサポートするユーザ機器（ＵＥ）と、第１の二重化モードキャリアで前記ＵＥと通信するように動作する第１のアクセスノードと、第２の二重化モードキャリアで前記ＵＥと通信するように動作する第２のアクセスノードとを含む無線通信システムにおいて実施されるシグナリング方法であって、
前記第１のアクセスノードから前記ＵＥに、プライマリコンポーネントキャリア（ＰＣｅｌｌ）として前記第１の二重化モードキャリアで前記第１のアクセスノードを通してデータ送信するために、第１の無線リソース制御（ＲＲＣ）シグナリングを送信することと、
前記第１のアクセスノードから前記ＵＥに、セカンダリコンポーネントキャリア（ＳＣｅｌｌ）として前記第２の二重化モードキャリアで前記第２のアクセスノードを通してデータ送信するために、第２のＲＲＣシグナリングを前記ＰＣｅｌｌで送信することと、
前記第１のアクセスノードがネットワークバックホールを介して、前記ＰＣｅｌｌ及び前記ＳＣｅｌｌでの下りリンクデータ送信をスケジュールすることと、
前記第１のアクセスノードが第１の二重化モード下りリンク制御情報（ＤＣＩ）フォーマットを使用して、前記ＰＣｅｌｌ及び前記ＳＣｅｌｌでの下りリンクデータ送信を前記ＵＥに通知することと、を含み、
前記ＵＥは、前記第１の二重化モードのＤＣＩフォーマットの処理において、前記ＰＣｅｌｌで受信されるものと同じサイズのＤＣＩフォーマットを、下りリンクスケジューリング及び上りリンクスケジューリングで前記ＰＣｅｌｌ及び前記ＳＣｅｌｌに提供し、
前記ＵＥは、前記ＳＣｅｌｌの下りリンクスケジューリングを受信すると、第１の二重化モードタイミング規則を前記ＰＣｅｌｌへのＨＡＲＱ−ＡＣＫのフィードバックに適用し、
前記ＵＥは、前記ＳＣｅｌｌキャリアでの上りリンクデータ送信の上りリンクグラントを受信すると、前記第１の二重化モードタイミング規則を、前記ＳＣｅｌｌへの物理上りリンク共用チャネル（ＰＵＳＣＨ）の送信に適用する、
シグナリング方法。
【請求項１８】
周波数分割二重化（ＦＤＤ）−時分割二重化（ＴＤＤ）キャリアアグリゲーション（ＣＡ）をサポートするユーザ機器（ＵＥ）と、第２の二重化モードキャリアで前記ＵＥと通信するように動作する第２のアクセスノードとを含む無線通信システムで使用され、第１の二重化モードキャリアで前記ＵＥと通信するよう動作する、第１のアクセスノードであって、
前記ＵＥに、プライマリコンポーネントキャリア（ＰＣｅｌｌ）として前記第１の二重化モードキャリアで前記第１のアクセスノードを通してデータ送信するために、第１の無線リソース制御（ＲＲＣ）シグナリングを送信するとともに、セカンダリコンポーネントキャリア（ＳＣｅｌｌ）として前記第２の二重化モードキャリアで前記第２のアクセスノードを通してデータ送信するために、第２のＲＲＣシグナリングを前記ＰＣｅｌｌで送信する送信器と、
ネットワークバックホールを介して、前記ＰＣｅｌｌ及び前記ＳＣｅｌｌでの下りリンクデータ送信をスケジュールするスケジューリング手段と、を備え、
前記送信器は、第１の二重化モード下りリンク制御情報（ＤＣＩ）フォーマットを使用して、前記ＰＣｅｌｌ及び前記ＳＣｅｌｌでの下りリンクデータ送信を前記ＵＥに通知することにより、
前記ＵＥに、前記第１の二重化モードのＤＣＩフォーマットの処理において、前記ＰＣｅｌｌで受信されるものと同じサイズのＤＣＩフォーマットを、下りリンクスケジューリング及び上りリンクスケジューリングで前記ＰＣｅｌｌ及び前記ＳＣｅｌｌに提供するよう制御させ、
前記ＵＥに、前記ＳＣｅｌｌの下りリンクスケジューリングを受信すると、第１の二重化モードタイミング規則を前記ＰＣｅｌｌへのＨＡＲＱ−ＡＣＫのフィードバックに適用するよう制御させ、
前記ＵＥに、前記ＳＣｅｌｌキャリアでの上りリンクデータ送信の上りリンクグラントを受信すると、前記第１の二重化モードタイミング規則を、前記ＳＣｅｌｌへの物理上りリンク共用チャネル（ＰＵＳＣＨ）の送信に適用するよう制御させる、
第１のアクセスノード。
【請求項１９】
無線通信システムで使用されるユーザ機器（ＵＥ）において、前記無線通信システムは、第１の二重化モードキャリアで前記ＵＥと通信するように動作する第１のアクセスノードと、第２の二重化モードキャリアで前記ＵＥと通信するように動作する第２のアクセスノードとを含み、前記ＵＥは、周波数分割二重化（ＦＤＤ）−時分割二重化（ＴＤＤ）キャリアアグリゲーション（ＣＡ）をサポートし、
前記第１のアクセスノードから、プライマリコンポーネントキャリア（ＰＣｅｌｌ）として前記第１の二重化モードキャリアで前記第１のアクセスノードを通してデータ送信するために、第１の無線リソース制御（ＲＲＣ）シグナリングを受信するとともに、セカンダリコンポーネントキャリア（ＳＣｅｌｌ）として前記第２の二重化モードキャリアで前記第２のアクセスノードを通してデータ送信するために、第２のＲＲＣシグナリングを前記ＰＣｅｌｌで受信する送受信器を備え、
前記第１のアクセスノードがネットワークバックホールを介して、前記ＰＣｅｌｌ及び前記ＳＣｅｌｌでの下りリンクデータ送信をスケジュールされた後、
前記送受信器は、第１の二重化モード下りリンク制御情報（ＤＣＩ）フォーマットを使用して、前記ＰＣｅｌｌ及び前記ＳＣｅｌｌでの下りリンクデータ送信の通知を受信し、
前記第１の二重化モードのＤＣＩフォーマットの処理において、前記ＰＣｅｌｌで受信されるものと同じサイズのＤＣＩフォーマットを、下りリンクスケジューリング及び上りリンクスケジューリングで前記ＰＣｅｌｌ及び前記ＳＣｅｌｌに提供し、
前記ＳＣｅｌｌの下りリンクスケジューリングを受信すると、第１の二重化モードタイミング規則を前記ＰＣｅｌｌへのＨＡＲＱ−ＡＣＫのフィードバックに適用し、
前記ＳＣｅｌｌキャリアでの上りリンクデータ送信の上りリンクグラントを受信すると、前記第１の二重化モードタイミング規則を、前記ＳＣｅｌｌへの物理上りリンク共用チャネル（ＰＵＳＣＨ）の送信に適用する、
ユーザ機器。
【請求項２０】
無線通信システムであって、
周波数分割二重化（ＦＤＤ）−時分割二重化（ＴＤＤ）キャリアアグリゲーション（ＣＡ）をサポートするユーザ機器（ＵＥ）と、第１の二重化モードキャリアで前記ＵＥと通信するように動作する第１のアクセスノードと、
第２の二重化モードキャリアで前記ＵＥと通信するように動作する第２のアクセスノードと、
を備え、
前記第１のアクセスノードは、前記ＵＥに、プライマリコンポーネントキャリア（ＰＣｅｌｌ）として前記第１の二重化モードキャリアで前記第１のアクセスノードを通してデータ送信するために、第１の無線リソース制御（ＲＲＣ）シグナリングを送信し、
前記第１のアクセスノードは、前記ＵＥに、セカンダリコンポーネントキャリア（ＳＣｅｌｌ）として前記第２の二重化モードキャリアで前記第２のアクセスノードを通してデータ送信するために、第２のＲＲＣシグナリングを前記ＰＣｅｌｌで送信し、
前記第１のアクセスノードは、ネットワークバックホールを介して、前記ＰＣｅｌｌ及び前記ＳＣｅｌｌでの下りリンクデータ送信をスケジュールし、
前記第１のアクセスノードは、第１の二重化モード下りリンク制御情報（ＤＣＩ）フォーマットを使用して、前記ＰＣｅｌｌ及び前記ＳＣｅｌｌでの下りリンクデータ送信を前記ＵＥに通知し、
前記ＵＥは、前記第１の二重化モードのＤＣＩフォーマットの処理において、前記ＰＣｅｌｌで受信されるものと同じサイズのＤＣＩフォーマットを、下りリンクスケジューリング及び上りリンクスケジューリングで前記ＰＣｅｌｌ及び前記ＳＣｅｌｌに提供し、
前記ＵＥは、前記ＳＣｅｌｌの下りリンクスケジューリングを受信すると、第１の二重化モードタイミング規則を前記ＰＣｅｌｌへのＨＡＲＱ−ＡＣＫのフィードバックに適用し、
前記ＵＥは、前記ＳＣｅｌｌキャリアでの上りリンクデータ送信の上りリンクグラントを受信すると、前記第１の二重化モードタイミング規則を、前記ＳＣｅｌｌへの物理上りリンク共用チャネル（ＰＵＳＣＨ）の送信に適用する、
無線通信システム。
【発明の詳細な説明】
【技術分野】
【０００１】
本発明は、高度無線通信ネットワーク及びシステムでのシグナリングの制御に関する。
【背景技術】
【０００２】
以下の略称が本明細書において使用される。
【表１】
0005950035.tif 000002
【０００３】
Ｅ−ＵＴＲＡは、ＦＤＤ二重化モード及びＴＤＤ二重化モードの両方をサポートする。Ｅ−ＵＴＲＡのＦＤＤとＴＤＤとの相互作用メカニズムは規定されているが、異なる二重化モードを有する２つ（又は３つ以上）のバンドでネットワークに同時に接続された端末（例えば、ＵＥ）の挙動は、規定されていない。ＦＤＤスペクトル及びＴＤＤスペクトルの両方を用いるネットワークオペレータの場合、システム性能及びユーザ経験を向上させるために、両スペクトルリソースを良好に（好ましくは完全に）利用可能な、効率的なメカニズム又は手段を提供することが重要であろう。
【０００４】
キャリアアグリゲーション（ＣＡ）の使用は、Ｒｅｌ．１０  ＬＴＥ  ＣＡの作業中で発見されたように、ピークデータレート及びスループットを増大させる手段を提供し、これは、Ｒｅｌ．１１  ＬＴＥ  ＣＡ拡張作業中に拡張された。
【０００５】
効率的なＴＤＤ及びＦＤＤ帯域の使用及び異なる技術を共同で利用することは、スループットの増大及び容量ニーズに対応するために、将来のＬＴＥ配置にますます重要になっている。従って、両帯域リソースを良好又は完全に利用して、システム性能を向上させることができるように、ＬＴＥ  ＦＤＤ−ＴＤＤ共同動作をサポートする必要性が増すであろう。将来のＬＴＥ  ＦＤＤ−ＴＤＤ  ＣＡ配置シナリオでは、ＴＤＤセル又はＦＤＤセルのいずれかがプライマリコンポーネントキャリア（ＰＣｅｌｌ）として使用し得ることが予期され、従って、汎用ＬＴＥ  ＦＤＤ−ＴＤＤ  ＣＡへのサポートが必要であろう。
【０００６】
ＣＡシステムでの重要な技術として、クロスキャリアスケジューリングにより、あるキャリアコンポーネントでのＰＤＳＣＨ及びＰＵＳＣＨリソースを、別のキャリアコンポーネント上のＰＤＣＣＨによってスケジュールすることが可能である。例えば、ＰＤＣＣＨを、あるサービングセル（例えば、より良好なリンク品質を有するサービングセル）で送信することができ、関連するＰＤＳＣＨ又はＰＵＳＣＨを別のサービングセルで送信し得る。これは、３ビットキャリアインジケータフィールド（ＣＩＦ）を下りリンク制御情報（ＤＣＩ）フォーマットに追加することによって実現し得る。Ｒｅｌ．１０及びＲｅｌ．１１でのＦＤＤのみ又はＴＤＤのみのＣＡシステムでは、クロスキャリアスケジューリングが構成されるか否かに関わりなく、ブラインド復号化の数は同じままである。しかし、クロスキャリアスケジューリングを用いるＬＴＥ  ＦＤＤ−ＴＤＤ  ＣＡシステムでは、ブラインド復号化試行数は、ＤＣＩフォーマットがレガシーシステム仕様に従うことによって構成される場合、より大きいことがある。
【０００７】
Ｒｅｌ．８〜１１に指定されるように、同じＤＣＩフォーマットの内容は、ＦＤＤシステム及びＴＤＤシステムで異なり得る。具体的に言えば、ＤＣＩフォーマットには、ＴＤＤ動作をサポートするために追加のビットフィールドがある。例えば、
−ＴＤＤ動作用のＤＣＩフォーマット０／４では、２ビットフィールドが、ＵＬインデックス又はＤＬ割り当てインデックス（ＤＡＩ）として使用されるが、この２ビットフィールドは、ＦＤＤシステム用のＤＣＩフォーマット０／４には存在せず、
−ＴＤＤ動作用のＤＣＩフォーマット１／１Ａ／１Ｂ／１Ｄ／２／２Ａ／２Ｂ／２Ｃでは、２ビットフィールドが、ＤＬ割り当てインデックスに使用されるが、ＦＤＤシステム用のＤＣＩフォーマット１／１Ａ／１Ｂ／１Ｄ／２／２Ａ／２Ｂ／２Ｃでは、この２ビットフィールドは存在せず、
−ＴＤＤ動作用のＤＣＩフォーマット１／１Ａ／１Ｂ／１Ｄ／２／２Ａ／２Ｂ／２Ｃでは、４ビットフィールドが、ＨＡＲＱプロセス番号に使用されるが、ＦＤＤシステム用のＤＣＩフォーマット１／１Ａ／１Ｂ／１Ｄ／２／２Ａ／２Ｂ／２Ｃでは、３ビットフィールドがある。
【発明の概要】
【発明が解決しようとする課題】
【０００８】
ＬＴＥ  ＦＤＤ−ＴＤＤ  ＣＡシステムでのクロスキャリアスケジューリングが構成されたあるＵＥでは、２つの二重化モード（ＦＤＤ及びＴＤＤ）のＰＤＣＣＨは、同じサービングセルで送信することができる。例えば、ＴＤＤサービングセルでのＰＤＳＣＨ又はＰＵＳＣＨ送信に対応するＰＤＣＣＨは、ＦＤＤサービングセルで送信することができる。２つのサービングセルの帯域幅は同じであることができるが、ＴＤＤ動作用の上述した追加ビットにより、ＤＣＩフォーマットはそれでもなお異なるサイズを有し得る。その結果、異なるＤＣＩサイズの数が増えるため、ブラインド復号化試行数が劇的に増大し得る。この問題に対処する必要があると思われる。
【０００９】
さらに、ＨＡＲＱフィードバックを搬送するＰＵＣＣＨは、プライマリコンポーネントキャリアのみに配置されるため、且つＨＡＲＱタイミング／ＵＬグラントタイミングが、ＦＤＤシステムとＴＤＤシステムとで異なるため、ＬＴＥ  ＦＤＤ−ＴＤＤ  ＣＡシステムでの関連するタイミング問題を処理する必要があろう。
【００１０】
さらに、ＴＤＤサービングセルでのＤＬ／ＵＬトラフィック比率の変動を吸収するために、フレキシブルＴＤＤをＴＤＤサービングセルに対して実施し得る。フレキシブルＴＤＤサービングセルがＳＣｅｌｌとして構成される場合に生じる２つの他の問題、すなわち、高速ＴＤＤ構成指示及びＨＡＲＱ−ＡＣＫ／ＵＬグラントタイミングも、ＬＴＥ  ＦＤＤ−ＴＤＤ  ＣＡシステムにおいて対処する必要があり得る。
【００１１】
従来又は既存の装置、システム、方法、手順、実施、公表物、若しくは他の情報の本明細書での単なる言及又は任意の問題若しくは問題への言及が、任意のこれらの物事が個々に、若しくは任意の組み合わせで、当業者の一般知識の一部をなすこと、又は認容可能な先行技術であることの承認又は認容をなさないことを明確に理解されたい。
【課題を解決するための手段】
【００１２】
可能な一形態では、本発明は、周波数分割二重化（ＦＤＤ）−時分割二重化（ＴＤＤ）キャリアアグリゲーション（ＣＡ）をサポートする高度無線通信ネットワークで使用されるシグナリング方法の広範に関し、システムは、
ＦＤＤ−ＴＤＤ  ＣＡをサポートするユーザ機器（ＵＥ）と、
第１の二重化モードキャリアでＵＥと通信するように動作する第１のアクセスノードであって、第１の二重化モードはＦＤＤ又はＴＤＤのうちの一方である、第１のアクセスノードと、
第２の二重化モードキャリアでＵＥと通信するように動作する第２のアクセスノードであって、第２の二重化モードは、第１の二重化モードとは逆のＦＤＤ又はＴＤＤのうちの他方である、第２のアクセスノードと、
を含み、
方法は、
ネットワークとの無線リソース制御（ＲＲＣ）接続を確立することにより、プライマリコンポーネントキャリア（ＰＣｅｌｌ）として第１の二重化モードキャリアで第１のアクセスノードを通してＵＥとネットワークとの間でデータ送信するようにＵＥを構成することと、
ＰＣｅｌｌでの専用ＲＲＣシグナリングを介して、セカンダリコンポーネントキャリア（ＳＣｅｌｌ）として第２の二重化モードキャリアで第２のアクセスノードを通してＵＥとネットワークとの間でデータ送信するようにＵＥを構成することと、
自己スケジューリング又はクロスキャリアスケジューリングのいずれかを使用して、集約ＳＣｅｌｌでのデータ送信のスケジューリングを実行することと、
を含む。
【００１３】
幾つかの実施形態又は配置シナリオでは、第１の二重化モードはＦＤＤであり得、第２の二重化モードはＴＤＤであり得る。従って、ＰＣｅｌｌ（及び第１のアクセスノード）はＦＤＤであり得、ＳＣｅｌｌ（及び第２のアクセスノード）はＴＤＤであり得る。
【００１４】
さらに、幾つかの特定の実施形態又は配置シナリオでは、クロスキャリアスケジューリングを、集約ＳＣｅｌｌでのデータ送信のスケジューリングに使用し得る。これらの実施形態では、第１のアクセスノードは、ネットワークバックホールを介して、ＦＤＤ  ＰＣｅｌｌ及びＴＤＤ  ＳＣｅｌｌの両方での下りリンクデータ送信をスケジュールし得る。ＦＤＤ  ＰＣｅｌｌ下りリンクキャリア及びＴＤＤ  ＳＣｅｌｌ下りリンクキャリアでのデータ受信に応答して、ＵＥは、ＦＤＤタイミング及びフィードバック規則に従って、ＨＡＲＱ−ＡＣＫを第１のアクセスノードにフィードバックし得る。第１のアクセスノードは、ＦＤＤ  ＤＣＩフォーマットを使用して、ＦＤＤ  ＰＣｅｌｌ下りリンクキャリア及びＴＤＤ  ＳＣｅｌｌ下りリンクキャリアでの下りリンクデータ送信をＵＥに通知し得る。上記ＤＣＩフォーマットは、例えば、３ビットＨＡＲＱ番号フィールドを含み得、下りリンク割り当てインデックス（ＤＡＩ）フィールドを含まない。第１のアクセスノードは、ＦＤＤ  ＰＣｅｌｌ及びＴＤＤ  ＳＣｅｌｌの両方でのＵＥからの上りリンクデータ送信をスケジュールし、ＦＤＤ上りリンクスケジューリングタイミング規則を使用して、ＦＤＤ  ＰＣｅｌｌ送信及びＴＤＤ  ＳＣｅｌｌ送信の上りリンクグラントを送信し得る。ＤＣＩの処理に当たり、ＵＥは、ＦＤＤ  ＰＣｅｌｌで受信されるものと同サイズのＤＣＩが、ＰＣｅｌｌ及びＳＣｅｌｌの両方の下りリンクスケジューリング及び上りリンクスケジューリングを提供すると仮定し得る。ＳＣｅｌｌの下りリンクスケジューリングを受信すると、ＵＥは、ＦＤＤタイミング規則をＦＤＤ  ＰＣｅｌｌへのＨＡＲＱ−ＡＣＫのフィードバックに適用し得る。また、ＴＤＤ  ＳＣｅｌｌ上りリンクキャリアでの上りリンクデータ送信の上りリンクグラントを受信すると、ＵＥは、ＦＤＤタイミング規則を、ＴＤＤ  ＳＣｅｌｌへの物理上りリンク共用チャネル（ＰＵＳＣＨ）の送信に適用し得る。
【００１５】
他の特定の実施形態又は配置シナリオ（第１の二重化モードがＦＤＤであり、第２の二重化モードがＴＤＤである）では、自己スケジューリングを、集約ＳＣｅｌｌでのデータ送信のスケジューリングに使用し得る。これらの実施形態では、第１のアクセスノードは、ＦＤＤ  ＰＣｅｌｌのみでの下りリンクデータ送信をスケジュールし得、第２のアクセスノードは、ＴＤＤ  ＳＣｅｌｌのみでの下りリンクデータ送信をスケジュールし得る。ＵＥは、ＦＤＤ  ＰＣｅｌｌ下りリンクキャリアでのデータ受信に応答して、ＦＤＤタイミング及びフィードバック規則に従って、第１のアクセスノードにＨＡＲＱ−ＡＣＫをフィードバックし得、ＴＤＤ  ＳＣｅｌｌ下りリンクキャリアでのデータ受信に応答して、ＴＤＤタイミング及びフィードバック規則に従って、第２のアクセスノードにＨＡＲＱ−ＡＣＫをフィードバックし得る。ＰＵＣＣＨにおいてＳＣｅｌｌのＨＡＲＱ−ＡＣＫを受信すると、第１のアクセスノードは、バックホールを介して、受信したＳＣｅｌｌ  ＨＡＲＱ−ＡＣＫを第２のアクセスノードに転送し得る。第１のアクセスノードは、ＦＤＤ  ＤＣＩフォーマットを使用して、ＦＤＤ  ＰＣｅｌｌ下りリンクキャリアでの下りリンクデータ送信をＵＥに通知し得、第２のアクセスノードは、ＴＤＤ  ＤＣＩフォーマットを使用して、ＴＤＤ  ＳＣｅｌｌ下りリンクキャリアでの下りリンクデータ送信をＵＥに通知し得る。第１のアクセスノードは、ＦＤＤ  ＰＣｅｌｌでのＵＥからの上りリンクデータ送信をスケジュールし、ＦＤＤ上りリンクスケジューリングタイミング規則を使用して、ＦＤＤ  ＰＣｅｌｌ送信の上りリンクグラントを送信し得る。第２のアクセスノードは、ＴＤＤ  ＳＣｅｌｌでのＵＥからの上りリンクデータ送信をスケジュールし、ＴＤＤ上りリンクスケジューリングタイミング規則を使用して、ＴＤＤ  ＳＣｅｌｌ送信の上りリンクグラントを送信し得る。
【００１６】
上述したいずれとも異なる他の実施形態又は配置シナリオでは、第１の二重化モードは代わりにＴＤＤであり得、第２の二重化モードは代わりにＦＤＤであり得る。従って、ＰＣｅｌｌ（及び第１のアクセスノード）はＴＤＤであり得、ＳＣｅｌｌ（及び第２のアクセスノード）はＦＤＤであり得る。
【００１７】
幾つかの特定の実施形態又は配置シナリオ（第１の二重化モードがＴＤＤであり、第２の二重化モードがＦＤＤである）では、クロスキャリアスケジューリングを使用して、ＳＣｅｌｌをスケジュールし得る。クロスサブフレームクロスキャリアスケジューリング又はマルチサブフレームクロスキャリアスケジューリングを採用し得る。これらの実施形態では、第１のアクセスノードは、バックホールを介して、ＴＤＤ  ＰＣｅｌｌ及びＦＤＤ  ＳＣｅｌｌの両方での下りリンクデータ送信をスケジュールし得る。ＵＥは、ＴＤＤ  ＰＣｅｌｌ下りリンクキャリア及びＦＤＤ  ＳＣｅｌｌ下りリンクキャリアでのデータ受信に応答して、ＴＤＤタイミング及びフィードバック規則に従って、第１のアクセスノードにＨＡＲＱ−ＡＣＫをフィードバックし得る。第１のアクセスノードは、ＴＤＤ  ＤＣＩフォーマットを使用して、ＴＤＤ  ＰＣｅｌｌ下りリンクキャリア及びＦＤＤ  ＳＣｅｌｌ下りリンクキャリアでの下りリンクデータ送信をＵＥに通知し得る。ＤＣＩフォーマットは、例えば、４ビットＨＡＲＱ番号フィールド及び２ビットＤＡＩフィールドを含み得る。第１のアクセスノードは、ＴＤＤ  ＰＣｅｌｌ及びＦＤＤ  ＳＣｅｌｌの両方でのＵＥからの上りリンクデータ送信をスケジュールし、ＴＤＤ上りリンクスケジューリングタイミング規則を使用して、ＴＤＤ  ＰＣｅｌｌ送信及びＦＤＤ  ＳＣｅｌｌ送信の上りリンクグラントを送信し得る。ＤＣＩの処理に当たり、ＵＥは、ＴＤＤ  ＰＣｅｌｌで受信されるものと同サイズのＴＤＤ  ＤＣＩが、ＰＣｅｌｌ及びＳＣｅｌｌの両方の下りリンクスケジューリング及び上りリンクスケジューリングを提供すると仮定し得る。ＳＣｅｌｌで下りリンクスケジューリング及び下りリンクデータを受信すると、ＵＥは、ＴＤＤタイミング規則を、ＴＤＤ  ＰＣｅｌｌへのＨＡＲＱ−ＡＣＫのフィードバックに適用し得る。また、ＦＤＤ  ＳＣｅｌｌ上りリンクキャリアでの上りリンクデータ送信の上りリンクグラントを受信すると、ＵＥは、ＴＤＤタイミング規則を、ＦＤＤ  ＳＣｅｌｌへのＰＵＳＣＨの送信に適用し得る。
【００１８】
他の特定の実施形態又は配置シナリオ（第１の二重化モードはＴＤＤであり、第２の二重化モードはＦＤＤである）では、自己スケジューリングを使用して、ＳＣｅｌｌをスケジュールする。これらの実施形態では、第１のアクセスノードは、ＴＤＤ  ＰＣｅｌｌのみでの下りリンクデータ送信をスケジュールし得、第２のアクセスノードは、ＦＤＤ  ＳＣｅｌｌのみでの下りリンクデータ送信をスケジュールし得る。ＵＥは、ＴＤＤ  ＰＣｅｌｌ下りリンクキャリアでのデータ受信に応答して、ＴＤＤタイミング及びフィードバック規則に従って、第１のアクセスノードにＨＡＲＱ−ＡＣＫをフィードバックし得、ＦＤＤ  ＳＣｅｌｌ下りリンクキャリアでのデータ受信に応答して、ＰＣｅｌｌのＴＤＤタイミング及びフィードバック規則に従って、第２のアクセスノードにＨＡＲＱ−ＡＣＫをフィードバックし得る。ＵＥは、ＴＤＤ  ＰＣｅｌｌでの下りリンクサブフレームに対応する下りリンクサブフレームでの入力下りリンク送信と共に、ＴＤＤ  ＰＣｅｌｌでの対応する上りリンクサブフレームを用いるＦＤＤ  ＳＣｅｌｌでの下りリンクサブフレームでスケジュールされたデータのＨＡＲＱ−ＡＣＫをフィードバックし得る。ＰＵＣＣＨでＳＣｅｌｌのＨＡＲＱ−ＡＣＫを受信すると、第１のアクセスノードは、バックホールを介して、受信したＳＣｅｌｌ  ＨＡＲＱ−ＡＣＫをＦＤＤ  ＳＣｅｌｌに転送し得る。第１のアクセスノードは、ＴＤＤ  ＤＣＩフォーマットを使用して、ＴＤＤ  ＰＣｅｌｌ下りリンクキャリアでの下りリンクデータ送信をＵＥに通知し得、第２のアクセスノードは、ＴＤＤ  ＤＣＩフォーマットを使用して、ＦＤＤ  ＳＣｅｌｌ下りリンクキャリアでの下りリンクデータ送信をＵＥに通知し得る。第１のアクセスノードは、ＴＤＤ  ＰＣｅｌｌでのＵＥからの上りリンクデータ送信をスケジュールし、ＴＤＤ上りリンクスケジューリングタイミング規則を使用して、ＴＤＤ  ＰＣｅｌｌ送信の上りリンクグラントを送信し得る。第２のアクセスノードは、ＦＤＤ  ＳＣｅｌｌでのＵＥからの上りリンクデータ送信をスケジュールし、ＦＤＤ上りリンクスケジューリングタイミング規則及びＦＤＤ  ＨＡＲＱ−ＡＣＫ規則を使用して、ＦＤＤ  ＳＣｅｌｌ送信の上りリンクグラントを送信し得る。ＦＤＤ  ＳＣｅｌｌ下りリンクキャリアで受信されるＤＣＩの処理に当たり、ＵＥは、受信されたＴＤＤ  ＤＣＩが、ＳＣｅｌｌの下りリンクスケジューリング及び上りリンクスケジューリングを提供すると仮定し得る。ＳＣｅｌｌの下りリンクスケジューリング及び送信データを受信すると、ＵＥは、ＴＤＤタイミング規則を、ＦＤＤ  ＳＣｅｌｌへのＨＡＲＱ−ＡＣＫのフィードバックに適用し得る。また、ＴＤＤ  ＰＣｅｌｌでの対応する上りリンクサブフレームと共に、ＦＤＤ  ＳＣｅｌｌサブフレームの下りリンクスケジューリング及び送信データを受信すると、ＵＥは、ＴＤＤ  ＰＣｅｌｌでの下りリンクサブフレームに対応する下りリンクサブフレームでの入力下りリンク送信と共に、それらの下りリンクサブフレームでスケジュールされたデータのＨＡＲＱ−ＡＣＫをフィードバックし得る。ＦＤＤ  ＳＣｅｌｌ上りリンクキャリアでの上りリンクデータ送信の上りリンクグラントを受信すると、���Ｅは、ＦＤＤタイミング規則を、ＦＤＤ  ＳＣｅｌｌへのＰＵＳＣＨへの送信に適用することができる。
【００１９】
幾つかのさらなる実施形態では、フレキシブルＴＤＤキャリアがＳＣｅｌｌであり得、所定の観測時間内で第２のアクセスノードでの瞬間トラフィックを観測することにより、ネットワークは、ＴＤＤ  ＳＣｅｌｌでのＴＤＤ上りリンク−下りリンク構成を変更するように第２のアクセスノードを構成し得る。暗黙的な高速シグナリングを使用し得る。ＳＣｅｌｌでのフレキシブルサブフレームが下りリンクサブフレームとして動作すべきと判断されると、第１のアクセスノードは、下りリンクデータが第２のアクセスノードから送信されるＳＣｅｌｌフレキシブルサブフレームに対応するＰＣｅｌｌ下りリンクサブフレームで、下りリンクスケジューリング情報を送信し得る。ＳＣｅｌｌでのフレキシブルサブフレームが上りリンクサブフレームとして動作すべきと判断されると、第１のアクセスノードは、ＵＥがＴＤＤ  ＳＣｅｌｌで上りリンクデータ送信することになっているＳＣｅｌｌフレキシブルサブフレームに対応するＰＣｅｌｌ下りリンクサブフレームで上りリンクグラントを送信し得る。ＳＣｅｌｌ  ＴＤＤ上りリンク−下りリンク構成は、無線フレームベースで第２のアクセスノードによって変更することができ、ＵＥは、下りリンク送信スケジューリング及びＳＣｅｌｌでの上りリンクグラントについて、ＰＣｅｌｌの検索空間を監視し得る。ＳＣｅｌｌフレキシブルサブフレームに対応するＰＣｅｌｌ下りリンクサブフレームで、ＵＥは、ＳＣｅｌｌの下りリンク送信スケジューリングを検出する場合、上記ＳＣｅｌｌフレキシブルサブフレームでＰＤＳＣＨ／ＤＬ−ＳＣＨの処理を実行し得る。ＰＣｅｌｌ下りリンクサブフレームで、ＵＥは、ＳＣｅｌｌの上りリンクグラントを検出する場合、ＰＵＳＣＨ／ＵＬ−ＳＣＨを処理し、上りリンクグラントを受信したＰＣｅｌｌ下りリンクサブフレームに対応するＳＣｅｌｌフレキシブル入力サブフレームで送信し得る。
【００２０】
以下は、本発明（又は本発明の態様若しくは実施形態）のさらなる考察である。幾つかのエリアでは、以下の考察は、上で使用されたものとはわずかに異なる言い回し／専門用語が使用されることがある。
【００２１】
より高いエンドユーザデータレートの達成及び／又は追加のＨｅｔＮｅｔ配置のサポートを向上させるのに役立ち得る、ＦＤＤ−ＴＤＤシステム間キャリアアグリゲーションを支援するために異種ネットワークで使用される装置で実施し得る方法、手順、及び装置が、本明細書で提案される。基地局であり得る装置は、第１のシステムの少なくとも１つのコンポーネントキャリア（ＰＣｅｌｌ）を通して第１のＵＥと通信し得る。加えて、上記装置は、システム間キャリアアグリゲーションを実行可能な第１のＵＥと通信するために、第１のシステムの少なくとも１つのコンポーネントキャリア（ＰＣｅｌｌ）を、第２のシステムの少なくとも１つの追加のコンポーネントキャリア（ＳＣｅｌｌ）と集約するか否かを判断し得る。第２の基地局は、第２のシステムの少なくとも１つの追加のコンポーネントキャリアをＰＣｅｌｌとして使用して、第２の基地局カバレッジ内の第２のＵＥと通信し得る。第１の基地局及び第２の基地局は、異種ネットワーク内に、又は異種ネットワークとして配置し得る。第１のシステムはＬＴＥ  ＦＤＤ又はＬＴＥ  ＴＤＤであり得、第２のシステムはＬＴＥ  ＴＤＤ／フレキシブルＴＤＤ又はＬＴＥ  ＦＤＤであり得る。
【００２２】
一構成では、少なくとも１つのコンポーネントキャリアは、第１の基地局によってサービスされるＦＤＤ上りリンクキャリア及びＦＤＤ下りリンクキャリアを含み得、少なくとも１つの追加のコンポーネントキャリアは、第２の基地局によってサービスされる少なくとも１つのＴＤＤキャリアを含み得る。この構成では、ＵＥはまず、第１の基地局を検出し得、ＦＤＤシステムの少なくとも１つのコンポーネントキャリア（ＰＣｅｌｌ）を通して、高度モバイルネットワークとのＲＲＣ接続を確立し得る。ＲＲＣ接続モードである間、上記ＵＥは、下りリンクでの通信、上りリンクでの通信、又は下りリンク及び上りリンクの両方での通信のために、集約ＴＤＤキャリアコンポーネント（ＳＣｅｌｌ）として少なくとも１つの追加のコンポーネントキャリアを追加するように構成し得る。
【００２３】
クロスキャリアスケジューリングがイネーブルされている場合、第１の基地局は、ＦＤＤ  ＤＣＩ（例えば、３ビットＨＡＲＱプロセス番号を有し、ＤＡＩフィールドを有さないＤＣＩ）と同サイズのトランスペアレントＤＣＩフォーマットを使用して、ＰＣｅｌｌ及びＳＣｅｌｌの両方でのＤＬデータ送信をスケジュールし得、第１のＵＥは、ＦＤＤタイミング及びフィードバック規則を理解し、ＦＤＤ  ＰＣｅｌｌ  ＤＬキャリア及びＴＤＤ  ＳＣｅｌｌキャリアのＤＬサブフレームでのデータ受信に応答して、ＨＡＲＱ−ＡＣＫの送信に、ＦＤＤタイミング及びフィードバック規則に従うものと予期し得る。さらに、クロスキャリアスケジューリングがイネーブルされている場合、第１の基地局は、ＦＤＤ  ＰＣｅｌｌ及びＴＤＤ  ＳＣｅｌｌの両方でのＵＥからのＵＬデータ送信をスケジュールし、ＦＤＤ  ＵＬスケジューリングタイミング規則を適用することにより、スケジューリングＦＤＤ  ＰＣｅｌｌ送信及びＴＤＤ  ＳＣｅｌｌ送信のＵＬグラントを送信し得る。一構成では、ＳＣｅｌｌはフレキシブルＴＤＤキャリアであり得、第２の基地局は、無線フレームベースと同程度頻繁にＴＤＤ  ＵＬ−ＤＬ構成を変更するように構成し得る。好ましくは、暗黙的シグナリング手法をこのために使用し得、その場合、ＳＣｅｌｌでのフレキシブルサブフレームがＤＬサブフレームであると判断されると、第１の基地局は、ＤＬデータが第２の基地局から送信されるＳＣｅｌｌフレキシブルサブフレームに対応するＰＣｅｌｌ  ＤＬサブフレームで、ＤＬスケジューリング情報を送信し得る。さらに、ＳＣｅｌｌでのフレキシブルサブフレームがＵＬサブフレームであると判断されると、第１の基地局は、第１のＵＥがＵＬデータをＴＤＤ  ＳＣｅｌｌキャリアのＵＬサブフレームで送信することが予期されるＳＣｅｌｌフレキシブルサブフレームに対応するＰＣｅｌｌ  ＤＬサブフレームでＵＬグラントを送信し得る。クロスキャリアスケジューリングがイネーブルされており、第１のＵＥが、ＦＤＤ  ＰＣｅｌｌ及びＴＤＤ  ＳＣｅｌｌを有するＦＤＤ−ＴＤＤシステム間ＣＡを実行するように構成される場合、第１のＵＥは、ＦＤＤ  ＰＣｅｌｌで受信したものと同サイズ（例えば、スケジューリングＤＬ送信ＤＣＩの場合、３ビットＨＡＲＱプロセス番号フィールドがあり、ＤＡＩビットフィールドがない）のＤＣＩが、ＰＣｅｌｌ及びＳＣｅｌｌの両方のＤＬスケジューリング及びＵＬスケジューリングを提供すると仮定し得る。ＳＣｅｌｌのＤＬスケジューリングを受信すると、第１のＵＥは、ＦＤＤタイミング規則をＨＡＲＱ−ＡＣＫの送信に適用し得る。ＴＤＤ  ＳＣｅｌｌ  ＵＬキャリアでのＵＬデータ送信のＵＬグラントを受信すると、第１のＵＥは、ＦＤＤタイミング規則を、ＴＤＤ  ＳＣｅｌｌキャリアでＰＵＳＣＨ／ＵＬ−ＳＣＨを送信するＵＬサブフレームの選択に適用し得る。ＳＣｅｌｌ  ＴＤＤ  ＵＬ−ＤＬ構成は、無線フレームベースで変更し得るため、第１のＵＥは、ＤＬ送信スケジューリング及びＳＣｅｌｌでのＵＬグラントについて、ＰＣｅｌｌの検索空間を監視し得る。ＳＣｅｌｌフレキシブルサブフレームに対応するＰＣｅｌｌ  ＤＬサブフレームで、第１のＵＥは、ＳＣｅｌｌのＤＬ送信���ケジューリングを検出する場合、上記ＳＣｅｌｌフレキシブルサブフレームでＰＤＳＣＨ／ＤＬ−ＳＣＨの処理を実行し得る。同様に、ＰＣｅｌｌ  ＤＬサブフレームで、第１のＵＥは、ＳＣｅｌｌのＵＬグラントを検出する場合、ＰＵＳＣＨ／ＵＬ−ＳＣＨを処理し、ＵＬグラントが受信されるＰＣｅｌｌ  ＤＬサブフレームに対応するＳＣｅｌｌ入力フレキシブルサブフレームで送信し得る。
【００２４】
クロスキャリアスケジューリングがディセーブルされている場合、第１の基地局は、ＦＤＤ  ＤＣＩフォーマット（すなわち、３ビットＨＡＲＱ番号フィールドを有し、ＤＡＩフィールドを有さないＤＣＩ）を使用して、ＦＤＤ  ＰＣｅｌｌ  ＤＬキャリアのみでのＤＬデータ送信をスケジュールし得、第２の基地局は、ＴＤＤ  ＤＣＩフォーマット（すなわち、４ビットＨＡＲＱ番号フィールドと、２ビットＤＡＩフィールドとを有するＤＣＩ）を使用して、ＴＤＤ  ＳＣｅｌｌキャリアのＤＬサブフレームのみでのＤＬデータ送信をスケジュールし得る。第１のＵＥは、ＦＤＤ  ＰＣｅｌｌ  ＤＬキャリアでのデータ受信に応答して、ＦＤＤタイミング及びフィードバック規則に従って、ＨＡＲＱ−ＡＣＫをフィードバックし得るが、ＴＤＤ  ＳＣｅｌｌキャリアのＤＬサブフレームでのデータ受信に応答して、ＴＤＤタイミング及びフィードバック規則に従って、ＨＡＲＱ−ＡＣＫをフィードバックし得る。さらに、第１の基地局は、ＦＤＤ  ＵＬスケジューリングタイミング規則を使用して、ＦＤＤ  ＰＣｅｌｌ  ＵＬキャリアでの第１のＵＥからのＵＬデータ送信をスケジュールするＵＬグラントを送信し得る。第２の基地局は、ＴＤＤ  ＵＬスケジューリングタイミング規則を使用して、ＴＤＤ  ＳＣｅｌｌキャリアのＵＬサブフレームでのＵＥからのＵＬデータ送信をスケジュールするＵＬグラントを送信し得る。一構成では、ＳＣｅｌｌキャリアはフレキシブルＴＤＤキャリアであり得、第２の基地局は、無線フレームベースと同程度に頻繁にＴＤＤ  ＵＬ−ＤＬ構成を変更するように構成し得る。第１の基地局は、ＰＣｅｌｌ共通検索空間で送信されたＤＣＩの形態で明示的な高速シグナリングを適用して、そのＴＤＤ  ＳＣｅｌｌでのＵＬ−ＤＬ構成の変更を第１のＵＥに通知し得る。クロスキャリアスケジューリングがディセーブルされており、第１のＵＥが、ＦＤＤ  ＰＣｅｌｌ及びＴＤＤ  ＳＣｅｌｌを有するＦＤＤ−ＴＤＤシステム間ＣＡを実行するように構成される場合、第１のＵＥは、受信されたＴＤＤ  ＤＣＩ（すなわち、４ビットＨＡＲＱプロセス番号フィールド及び２ビットＤＡＩフィールド）がＳＣｅｌｌのＤＬスケジューリング及びＵＬスケジューリングを提供すると仮定し得る。ＳＣｅｌｌのＤＬスケジューリングを受信すると、第１のＵＥは、ＴＤＤタイミング規則をＰＵＳＣＨでのＨＡＲＱ−ＡＣＫ送信に適用し得る。ＴＤＤ  ＳＣｅｌｌ  ＵＬキャリアでのＵＬデータ送信のＵＬグラントを受信すると、第１のＵＥは、ＴＤＤタイミング規則をＴＤＤ  ＳＣｅｌｌキャリアでのＰＵＳＣＨ送信に適用し得る。ＳＣｅｌｌがフレキシブルＴＤＤである一構成では、第１のＵＥは、そのフレキシブルＴＤＤ  ＳＣｅｌｌでのＴＤＤ  ＵＬ−ＤＬ構成変更を示す明示的な高速シグナリングについて、ＰＣｅｌｌ共通検索空間を監視し得る。
【００２５】
別の構成では、少なくとも１つのコンポーネントキャリアは、第１の基地局によってサービングされる少なくとも１つのＴＤＤキャリアを含み得、１つの追加のコンポーネントキャリアは、第２の基地局によってサービングされるＦＤＤ上りリンクキャリア及びＦＤＤ下りリンクキャリアを含み得る。この構成では、ＵＥはまず、第１の基地局を検出し得、ＴＤＤシステムの少なくとも１つのコンポーネントキャリア（ＰＣｅｌｌ）を通して、高度モバイルネットワークとのＲＲＣ接続を確立し得る。ＲＲＣ接続モードである間、上記ＵＥは、下りリンクでの通信、上りリンクでの通信、又は下りリンク及び上りリンクの両方での通信のために、集約ＦＤＤキャリアコンポーネント（ＳＣｅｌｌ）として１つの追加のコンポーネントキャリアを追加するように構成し得る。
【００２６】
クロスキャリアスケジューリングがイネーブルされている場合、第１の基地局は、ＴＤＤ  ＤＣＩ（すなわち、４ビットＨＡＲＱプロセス番号と、２ビットＤＡＩフィールドとを有するＤＣＩ）と同サイズのトランスペアレントＤＣＩフォーマットを使用して、ＰＣｅｌｌキャリア及びＳＣｅｌｌ  ＤＬキャリアの両ＤＬサブフレームでのＤＬデータ送信をスケジュールし得、第１のＵＥは、ＴＤＤタイミング及びフィードバック規則を理解し、ＴＤＤ  ＰＣｅｌｌキャリア及びＦＤＤ  ＳＣｅｌｌ  ＤＬキャリアのＤＬサブフレームでのデータ受信に応答して、ＴＤＤタイミング及びフィードバック規則に従ってＨＡＲＱ−ＡＣＫを送信し得る。さらに、クロスキャリアスケジューリングがイネーブルされている場合、第１の基地局は、ＴＤＤ  ＰＣｅｌｌキャリア及びＦＤＤ  ＳＣｅｌｌ  ＵＬキャリアの両ＵＬサブフレームでの第１のＵＥからのＵＬデータ送信をスケジュールし、ＴＤＤ  ＵＬスケジューリングタイミング規則を適用することにより、ＴＤＤ  ＰＣｅｌｌ送信及びＦＤＤ  ＳＣｅｌｌ送信のＵＬグラントを送信し得る。クロスキャリアスケジューリングがイネーブルされており、第１のＵＥが、ＴＤＤ  ＰＣｅｌｌ及びＦＤＤ  ＳＣｅｌｌを有するＦＤＤ−ＴＤＤシステム間ＣＡを実行するように構成される場合、第１のＵＥは、ＴＤＤ  ＰＣｅｌｌ  ＤＬサブフレームで受信されるものと同サイズのＤＣＩ（すなわち、スケジューリングＤＬ送信ＤＣＩでは、４ビットＨＡＲＱプロセス番号フィールド及び２ビットＤＡＩビットフィールド）が、ＴＤＤ  ＰＣｅｌｌ及びＦＤＤ  ＳＣｅｌｌの両方のＤＬスケジューリング及びＵＬスケジューリングを提供すると仮定し得る。ＳＣｅｌｌのＤＬスケジューリング及びＤＬデータを受信すると、第１のＵＥは、ＴＤＤタイミング規則をＵＬでのＨＡＲＱ−ＡＣＫ送信に適用し得る。ＦＤＤ  ＳＣｅｌｌ  ＵＬコンポーネントキャリアでのＵＬデータ送信のＵＬグラントを受信すると、第１のＵＥは、ＦＤＤ  ＳＣｅｌｌ  ＵＬキャリアでＰＵＳＣＨ／ＵＬ−ＳＣＨを送信するＵＬサブフレームの選択にＴＤＤタイミング規則を適用し得る。
【００２７】
クロスキャリアスケジューリングがディセーブルされている場合、第１の基地局は、ＴＤＤ  ＤＣＩフォーマット（すなわち、４ビットＨＡＲＱ番号フィールド及び２ビットＤＡＩフィールドを有するＤＣＩ）を使用して、ＴＤＤ  ＰＣｅｌｌキャリアのＤＬサブフレームのみでのＤＬデータ送信をスケジュールし得、第２の基地局もＴＤＤ  ＤＣＩフォーマットを使用して、ＦＤＤ  ＳＣｅｌｌ  ＤＬキャリアのみでのＤＬデータ送信をスケジュールし得る。ＵＥは、ＴＤＤ  ＰＣｅｌｌキャリアのＤＬサブフレームでのデータ受信に応答して、ＴＤＤタイミング及びフィードバック規則に従って、ＨＡＲＱ−ＡＣＫをフィードバックし得ると共に、ＦＤＤ  ＳＣｅｌｌ  ＤＬキャリアでのデータ受信に応答して、ＴＤＤタイミング及びフィードバック規則に従って、ＨＡＲＱ−ＡＣＫをフィードバックし得る。さらに、ＵＥは、ＴＤＤ  ＰＣｅｌｌでのＤＬサブフレームに対応するＤＬサブフレームでの入力ＤＬ送信と共に、ＴＤＤ  ＰＣｅｌｌでの対応するＵＬサブフレームを用いるＦＤＤ  ＳＣｅｌｌでのＤＬサブフレームでスケジュールされたデータのＨＡＲＱ−ＡＣＫをフィードバックし得る。さらに、第１の基地局は、ＴＤＤ  ＵＬスケジューリングタイミング規則を使用して、ＴＤＤ  ＰＣｅｌｌでの第１のＵＥからのＵＬデータ送信をスケジュールするＵＬグラントを送信し得る。第２の基地局は、ＦＤＤ  ＵＬスケジューリングタイミング規則及びＦＤＤ  ＨＡＲＱ−ＡＣＫ規則を使用して、ＦＤＤ  ＳＣｅｌｌキャリアでの第１のＵＥからのＵＬデータ送信をスケジュールするＵＬグラントを送信し得る。クロスキャリアスケジューリングがディセーブルされており、第１のＵＥが、ＴＤＤ  ＰＣｅｌｌ及びＦＤＤ  ＳＣｅｌｌを有するＦＤＤ−ＴＤＤシステム間ＣＡを実行するように構成される場合、第１のＵＥは、受信ＴＤＤ  ＤＣＩ（すなわち、スケジューリングＤＬ送信ＤＣＩの場合、４ビットＨＡＲＱプロセス番号フィールド及び２ビットＤＡＩフィールド）がＳＣｅｌｌのＤＬスケジューリング及びＵＬスケジューリングを提供すると仮定し得る。ＳＣｅｌｌのＤＬスケジューリング及び送信データを受信すると、第１のＵＥは、ＴＤＤタイミング規則をＨＡＲＱ−ＡＣＫの送信に適用し得る。さらに、ＴＤＤ  ＰＣｅｌｌでの対応するＵＬサブフレームを用いてＦＤＤ  ＳＣｅｌｌ  ＤＬサブフレームのＤＬスケジューリング及び送信データを受信すると、第１のＵＥは、ＴＤＤ  ＰＣｅｌｌでのＤＬサブフレームに対応するＤＬサブフレームでの入力ＤＬ送信と共に、それらのＤＬサブフレームでスケジュールされたデータのＨＡＲＱ−ＡＣＫをフィードバックし得る。ＦＤＤ  ＳＣｅｌｌ  ＵＬキャリアでのＵＬデータ送信のＵＬグラントを受信すると、第１のＵＥは、ＦＤＤタイミング規則をＦＤＤ  ＳＣｅｌｌ  ＵＬキャリアでのＰＵＳＣＨ送信に適用し得る。
【００２８】
本明細書に記載される任意の特徴は、本発明の範囲内で、本明細書に記載される他の特徴のうちの任意の１つ又は複数と任意の組み合わせで組み合わせ得る。
本発明の好ましい特徴、実施形態、及び変形は、本発明を実行するのに十分な情報を当業者に提供する以下の詳細な説明から理解し得る。詳細な説明は、必ずしも、先の発明の概要の範囲又は本発明の範囲を限定するものとして決して見なされるべきではない。詳細な説明は、以下の幾つかの図面を参照する。
【図面の簡単な説明】
【００２９】
【図１】高度無線通信システムを示し、特定の異なるシステム間ＦＤＤ−ＴＤＤキャリアアグリゲーション（ＣＡ）配置シナリオを説明するために以下で参照される。
【図２Ａ】典型的な高度基地局（ｅＮＢ）、特にＦＤＤアクセスノード及びＴＤＤアクセスノードの簡略ブロック図を含むと共に、システム間ＦＤＤ−ＴＤＤ  ＣＡを実行可能な高度ＵＥの簡略ブロック図も含む。
【図２Ｂ】典型的な高度基地局（ｅＮＢ）、特にＦＤＤアクセスノード及びＴＤＤアクセスノードの簡略ブロック図を含むと共に、システム間ＦＤＤ−ＴＤＤ  ＣＡを実行可能な高度ＵＥの簡略ブロック図も含む。
【図３】ＬＴＥ  ＣＡシステムでの自己スケジューリング及びクロスキャリアスケジューリングの特定の態様を説明するために使用される。
【図４】一シナリオにおいてＬＴＥ  ＦＤＤ−ＴＤＤ  ＣＡでの送信のタイミングの説明の支援に使用される図を含む。
【図５】別のシナリオでのＬＴＥ  ＦＤＤ−ＴＤＤ  ＣＡの動作の説明の支援に使用される図を含む。
【図６】別のシナリオでのＬＴＥ  ＦＤＤ−ＴＤＤ  ＣＡの動作の説明の支援に使用される図を含む。
【発明を実施するための形態】
【００３０】
図１は高度無線通信システム１００を示し、この図では、幾つかの異なるシステム間ＦＤＤ及びＴＤＤキャリアアグリゲーション配置シナリオが表される。高度無線通信システム１００は、異種ネットワーク（ＨｅｔＮｅｔ）であり、
−それぞれがマクロ基地局（例えば、ｅＮＢ）を表す複数のマクロアクセスノード１０１であって、マクロ基地局は、別個のＤＬキャリア周波数及びＵＬキャリア周波数でそれぞれＦＤＤ信号を送受信するように構成することができる、複数のマクロアクセスノード１０１と、
−それぞれがピコ基地局を表す複数の小規模セルアクセスノード１０２であって、ピコ基地局は、別個のＤＬキャリア周波数及びＵＬキャリア周波数でそれぞれＦＤＤ信号を送受信するように構成することができる、複数の小規模セルアクセスノード１０２と、
−それぞれがピコ基地局を表す複数の小規模セルアクセスノード１０３であって、ピコ基地局は、単一のキャリア周波数でＤＬ  ＴＤＤ信号及びＵＬ  ＴＤＤ信号を送受信するように構成することができる、複数の小規模セルアクセスノード１０３と、
−ＴＤＤ信号送受信及びＦＤＤ−ＴＤＤ信号送受信をＦＤＤ−ＴＤＤキャリアアグリゲーションにより実行可能な複数の高度ユーザ機器（ＵＥ）１０４、１０５、及び１０６と、
を含む。
【００３１】
各マクロ基地局１０１は、対になった第１のキャリア周波数Ｆ１を介して１つ又は複数のマクロセルにサービングする。各ピコ基地局１０２は、対になった第２のキャリア周波数Ｆ２を介して小規模セルにサービングする。各ピコ基地局１０３は、対になっていない第３のキャリア周波数Ｆ３を介して小規模セルにサービングする。第１のキャリア周波数Ｆ１及び第２のキャリア周波数Ｆ２は、同じであってもよく、又は異なってもよい。第１のキャリア周波数Ｆ１及び第３のキャリア周波数Ｆ３のＵＬキャリア周波数は同じであり得る。
【００３２】
各マクロセル基地局１０１は、（好ましくは理想的な）高度ネットワークバックホールを介して小規模セルピコ基地局１０２及び／又は１０３と相互接続する。本発明の実施形態によれば、システム間ＦＤＤ−ＴＤＤ  ＣＡは以下のように配置し得る。
【００３３】
１．ＦＤＤキャリアがＰＣｅｌｌであり、ＴＤＤキャリアがＳＣｅｌｌであるＦＤＤ−ＴＤＤキャリアアグリゲーション（ＣＡ）
【００３４】
この第１の配置シナリオを図１において１１０として示す。この配置シナリオでは、ＵＥ１０４はまず、基地局１０１によって提供されるＦＤＤマクロセルを検出し、キャンプオンすることができる。上記ＵＥ１０４はまず、ＦＤＤキャリアで、上記マクロ基地局１０１を通して高度ネットワークとＲＲＣ接続を確立する。モビリティ１２０（すなわち、ＵＥの移動）に起因して、ＵＥ１０４は、ＴＤＤ基地局１０３によってサービングされる小規模セルカバレッジに入り得る。マクロ基地局１０１を通しての専用ＲＲＣシグナリングを介して、上記ＵＥ１０４は次に、ＴＤＤ小規模セル測定を実行し、ピコ基地局１０３によってサービングされる第２のＴＤＤキャリアコンポーネントを、追加のデータ送受信（すなわち、マクロ基地局１０１によってサービングされるアンカーコンポーネントキャリアとして機能するプライマリＦＤＤキャリアコンポーネントでのデータ送信に加えて）のための集約キャリアとして追加するように構成される。このシナリオでは、マクロ基地局１１０によってサービングされるプライマリキャリアコンポーネント（ＰＣｅｌｌ）は、ＬＴＥ  ＦＤＤであり、一方、ピコ基地局１０３によってサービングされるセカンダリキャリアコンポーネント（ＳＣｅｌｌ）は、ＬＴＥ  ＴＤＤである。この第１の配置シナリオ１１０では、複数（例えば、可能な場合には最高で５つ）のＳＣｅｌｌが存在し得る。
【００３５】
２．ＴＤＤキャリアがＰＣｅｌｌであり、ＦＤＤキャリアがＳＣｅｌｌであるＦＤＤ−ＴＤＤキャリアアグリゲーション（ＣＡ）
【００３６】
この第２の配置シナリオを図１において１１１として示す。この配置シナリオでは、ＵＥ１０４はまず、基地局１０３によって提供されるＴＤＤピコセルを検出し、キャンプオンすることができる。上記ＵＥ１０４はまず、ＴＤＤキャリアで、ＴＤＤピコ基地局１０３を通して高度モバイルネットワークとＲＲＣ接続を確立する。ＵＥのモビリティ１２１（すなわち、ＵＥの移動）に起因して、ＵＥ１０４は、小規模セルエッジに入り得る（すなわち、小規模セルのエッジ近傍に配置されることになり得る）。いずれの場合でも、重なったＦＤＤマクロセル１０１及びＴＤＤピコセル１０３を介するデータの同時送信及び／又は受信が可能であり得る。従って、ＴＤＤピコ基地局１０３を介する専用ＲＲＣシグナリングを通して、上記ＵＥ１０４は、ＦＤＤマクロセル測定を実行し、重なったＦＤＤマクロ基地局１０１によってサービングされる第２のＦＤＤキャリアコンポーネントを、追加のデータ送受信（すなわち、ＴＤＤピコ基地局１０３によってサービングされるプライマリＴＤＤキャリアコンポーネントでのデータ送信に加えて）のための集約キャリアとして追加するように構成することができる。このシナリオでは、ピコ基地局１０３によってサービングされるプライマリキャリアコンポーネント（ＰＣｅｌｌ）はＬＴＥ  ＴＤＤであり、マイクロ基地局１０１によってサービングされるセカンダリキャリアコンポーネント（ＳＣｅｌｌ）は、ＬＴＥ  ＦＤＤである。この第２の配置シナリオ１１１では、最高で１つまでのＳＣｅｌｌが存在し得る（すなわち、最大で１つのＳＣｅｌｌが存在する）。
【００３７】
（３．ＦＤＤキャリアがＰＣｅｌｌであり、フレキシブルＴＤＤキャリアがＳＣｅｌｌであるＦＤＤ−ＴＤＤキャリアアグリゲーション（ＣＡ））
【００３８】
この第３の配置シナリオを図１において１１２として示す。この配置シナリオでは、ＵＥ１０５は、基地局１０１によって提供されるＦＤＤマクロセルを検出し、キャンプオンすることができる。上記ＵＥ１０５はまず、ＦＤＤキャリアで、ＦＤＤマクロ基地局１０１を通して高度モバイルネットワークとＲＲＣ接続を確立する。ＦＤＤマクロ基地局１０１を通しての専用ＲＲＣシグナリングを介して、上記ＵＥ１０５は次に、小規模セル測定を実行し、ＴＤＤピコ基地局１０３によってサービングされる第２のＴＤＤキャリアコンポーネントを、追加のデータ送受信（すなわち、マクロ基地局１０１によってサービングされるアンカーコンポーネントキャリアとして機能するプライマリＦＤＤキャリアコンポーネントでのデータ送信に加えて）のための集約キャリアとして追加するように構成される。マクロ基地局１０１によってサービングされるプライマリキャリアコンポーネント（ＰＣｅｌｌ）は、ＬＴＥ  ＦＤＤであり、一方、ピコ基地局１０３によってサービングされるセカンダリキャリアコンポーネント（ＳＣｅｌｌ）は、フレキシブルＬＴＥ  ＴＤＤである。
【００３９】
上記フレキシブルＬＴＥ  ＴＤＤピコセル１０３内のトラフィックは、ピコセルカバレッジに入る１つ又は複数の新しいＵＥ及び／又はピコセルカバレッジから離れる１つ又は複数の既存のＵＥに起因して変化し得る。例えば図１では、ＵＥモビリティ（図１において１２２で示される）に起因するマクロセル１０１からＴＤＤピコセル１０３へのＵＥ１０６のハンドオーバを参照すると共に、モビリティ（図１において１２３で示される）に起因するＴＤＤピコセル１０３からＦＤＤマクロセル１０１への別のＵＥ１０６のハンドオーバも参照のこと。セルのトラフィックが変化すると、ピコセル１０３は、ピコセルのＴＤＤ  ＵＬ−ＤＬ構成を柔軟に変更して、そのカバレッジ内の各アクティブＵＥのユーザ経験スループットを最適化し得る。
【００４０】
図２Ａ及び図２Ｂは、典型的な高度基地局の簡略ブロック図を含む。高度基地局２１０はＦＤＤアクセスノードを表す（例えば、アクセスノード／ｅＮＢ１０１のように）。高度基地局２３０はＴＤＤアクセスノードを表す（例えば、アクセスノード１０３のように）。図２Ａ及び図２Ｂは、システム間ＦＤＤ−ＴＤＤ  ＣＡを実行可能な高度ＵＥ２５０（例えば、ＵＥ１０４又は１０５のようなＵＥを表す）の簡略ブロック図も含む。
【００４１】
図２Ａ及び図２Ｂに示されるように、高度ＦＤＤ基地局２１０は、
−プロセッサ２１１と、
−プログラム命令及びデータベースを含むメモリ２１２と、
−ＤＬキャリアコンポーネントで動作する送信器及びＵＬキャリアコンポーネントで動作する受信器を有するＦＤＤ無線周波数（ＲＦ）モジュール２１３と、
−セル内のＵＥにセルラ無線周波数信号を送信すると共に、セル内のＵＥから無線周波数信号を受信するアンテナアレイ２１４と、
−ＤＬトランスポートチャネル、物理チャネル符号化、信号処理、制御信号処理、及び参照信号処理を実行する送信（ＴＸ）モジュール２１５と、
を含み得る。ＴＸモジュール２１５は、
−高速シグナリングの符号化及び物理チャネル処理を行うＰＤＣＣＨ／Ｅ−ＰＤＣＣＨ処理モジュール２２１と、
−物理層データチャネルのチャネル符号化及び物理チャネル処理を行うＰＤＳＣＨ／ＤＬ−ＳＣＨ処理モジュール２２２と、
−更に後述するように、クロスＦＤＤ−ＴＤＤキャリアスケジューリングをサポートする下りリンク制御情報を符号化するＤＣＩ処理モジュール２２０と、
−ＵＬチャネル受信、信号処理、及びチャネル復号化を実行する受信（ＲＸ）モジュール２１６と、
を含む。ＲＸ２１６モジュールは、
−ＵＬ制御チャネル受信及び復号化を行うＰＵＣＣＨ処理モジュール２２３と、
−ＵＬデータチャネル受信及び復号化を行うＰＵＳＣＨ処理モジュール２２４と、
−更に後述するように、ＵＬデータ送信のタイミングのスケジューリング及び対応するＵＬグラントの発行を処理するＵＬスケジューリングモジュール２１７と、
−更に後述するように、ＵＥへのＤＬデータ送信のタイミングのスケジューリング及び対応するＤＬスケジューリング情報の発行を処理するＤＬスケジューリングモジュール２１８と、
を含む。
【００４２】
また図２Ａ及び図２Ｂに示されるように、高度ＴＤＤ基地局２３０は、
−プロセッサ２３１と、
−プログラム命令及びデータベースを含むメモリ２３２と、
−同じキャリアコンポーネントで動作する送信器及び受信器を有するＴＤＤ無線周波数（ＲＦ）モジュール２３３と、
−セル内のＵＥにセルラ無線周波数信号を送信すると共に、セル内のＵＥからセルラ無線周波数信号を受信するアンテナアレイ２３４と、
−ＤＬトランスポートチャネル、物理チャネル符号化、信号処理、制御信号処理、及び参照信号処理を実行するＴＸモジュール２３５と、
を備え得る。ＴＸモジュール２３５は、
−高速シグナリングの符号化及び物理チャネル処理を行うＰＤＣＣＨ／Ｅ−ＰＤＣＣＨ処理モジュール２４１と、
−物理層データチャネルのチャネル符号化及び物理チャネル処理を行うＰＤＳＣＨ／ＤＬ−ＳＣＨ処理モジュール２４２と、
−更に後述するように、クロスＦＤＤ−ＴＤＤキャリアスケジューリングをサポートする下りリンク制御情報を符号化するＤＣＩ処理モジュール２４０と、
−ＵＬチャネル受信、信号処理、及びチャネル復号化を実行するＲＸモジュール２３６と、
を含む。ＲＸモジュール２３６は、
−ＵＬ制御チャネル受信及び復号化を行うＰＵＣＣＨ処理モジュール２４３と、
−ＵＬデータチャネル受信及び復号化を行うＰＵＳＣＨ処理モジュール２４４と、
−更に後述するように、ＵＬデータ送信のタイミングのスケジューリング及び対応するＵＬグラントの発行を処理するＵＬスケジューリングモジュール２３７と、
−更に後述するように、ＵＥへのＤＬデータ送信のタイミングのスケジューリング及び対応するＤＬスケジューリング情報の発行を処理するＤＬスケジューリングモジュール２３８と、
−更に後述するように、ＵＬ−ＤＬ再構成を示す高速シグナリング情報を処理するＴＤＤ再構築モジュール２３９と、
を含む。
【００４３】
図２Ａ及び図２Ｂに更に示されるように、高度ＵＥ２５０は、
−プロセッサ２５１と、
−プログラム命令及びデータベースを含むメモリ２５２と、
−ＵＬキャリアコンポーネントで動作する送信器及びＤＬキャリアコンポーネントで動作する受信器を有するＦＤＤ無線周波数（ＲＦ）モジュール２５３と、
−セルラ無線周波数信号をサービシングＦＤＤ基地局に送信し、無線周波数信号をサービシングＦＤＤ基地局から受信するアンテナ２５４と、
−同じキャリアコンポーネントで動作する送信器及び受信器を有するＴＤＤ無線周波数（ＲＦ）モジュール２５５と、
−サービシングＴＤＤ基地局とセルラ無線周波数信号を送受信するアンテナ２５６と、
−ＤＬトランスポートチャネル、物理チャネル受信、信号処理、及び復号化を実行するＲＸモジュール２５７であって、
−意図されるＤＣＩのＰＤＣＣＨ及び／又はＥ−ＰＤＣＣＨのブラインド復号化のためのＰＤＣＣＨ／Ｅ−ＰＤＣＣＨ処理モジュール２６１と、
−ＰＤＳＣＨ受信、信号処理、及びＤＬ−ＳＣＨ復号化のためのＰＤＳＣＨ／ＤＬ−ＳＣＨ処理モジュール２６２と、
−更に後述するように、クロスキャリアスケジューリング、非クロスキャリアスケジューリング、及びＵＬ−ＤＬ再構成変更を示す高速シグナリングをサポートする下りリンク制御情報を復号化するＤＣＩ処理モジュール２６０とを含む、ＲＸモジュール２５７と、
−ＵＬチャネル符号化及び送信を実行するＴＸモジュール２５８であって、
−ＵＬ制御チャネル符号化及び送信のためのＰＵＣＣＨ処理モジュール２６３と、
−ＵＬデータチャネル符号化及び送信のためのＰＵＳＣＨ処理モジュール２６４と、
を含むＴＸモジュール２５８、を含む。
【００４４】
ＬＴＥ  Ｒｅｌ．１０及び１１（ＣＡに関連して）によれば、キャリアアグリゲーションにおいてスケジューリングに指定される２つの方法がある：自己スケジューリング及びクロスキャリアスケジューリング。専用ＲＲＣシグナリングを使用して、ＳＣｅｌｌ確立中、クロスキャリアスケジューリングがアクティブ化／構成されているか否かをＵＥに通知する。クロスキャリアスケジューリングが構成されていない場合、キャリアインジケータフィールド（ＣＩＦ）はＤＣＩ内に含まれない。
【００４５】
自己スケジューリングの場合、下りリンクスケジューリング割り当ては、それらが送信されたコンポーネントキャリア（ＰＣｅｌｌ及びＳＣｅｌｌ）で有効である。同様に、上りリンクグラントの場合、各上りリンクコンポーネントキャリアが関連付けられた下りリンクコンポーネントキャリアを有するように、下りリンクコンポーネントキャリアと上りリンクコンポーネントキャリアとの間に関連性がある。関連性は、システム情報の一部として提供される。従って、上りリンク−下りリンク関連性から、端末又はＵＥは、下りリンク制御情報がどの上りリンクコンポーネントキャリアに関連するかを知ることになる。ＤＬスケジューリングを一例として、図３の事例Ａ３０１として示すように、ＤＬスケジューリング割り当て３１１ａは、関連付けられたＰＤＳＣＨ送信（３１２ａ）と同じコンポーネントキャリア（ＰＣｅｌｌ）で送信され、ＤＬスケジューリング割り当て３１５ａは、関連付けられたＰＤＳＣＨ送信３１６ａと同じコンポーネントキャリア（ＳＣｅｌｌ）で送信される。同じ方式がＥ−ＰＤＣＣＨに適用され、ＰＣｅｌｌの場合は３１３ａ〜３１４ａ、ＳＣｅｌｌの場合は３１７ａ〜３１８ａで表される。
【００４６】
上記背景セクションで考察したように、ＦＤＤ動作及びＴＤＤ動作のＤＣＩは、同じＤＣＩフォーマットでサイズが異なる。ＦＤＤサービングセルがＰＣｅｌｌとして構成され、ＴＤＤサービングセルがＳＣｅｌｌとして構成され、自己スケジューリングが構成される場合、各サービングセルでのブラインド復号化試行は、Ｒｅｌ．１０ＣＡシステムと同じままであり、それの理由は、同じＤＣＩフォーマットのサイズがＦＤＤサービングセル及びＴＤＤサービングセルで異なるが、異なるＤＣＩサイズの数が各サービングセルで同じままであるためである。
【００４７】
クロスキャリアスケジューリングの場合、ＰＤＳＣＨ及び／又はＰＵＳＣＨは、ＰＤＣＣＨが送信されるキャリア以外の（集約）コンポーネントキャリアで送信され、検出されたＤＣＩ内のキャリアインジケータフィールドは、関連付けられたＰＤＳＣＨ及び／又はＰＵＳＣＨを送信するために基地局によって使用されるコンポーネントキャリアについての情報を提供する。例えば、図３の事例Ｂ３０２に示されるように、ＰＣｅｌｌ内の単一のＵＥに２つのＵＥ固有ＰＤＣＣＨ送信（３１１ｂ及び３１５ｂ）があり、関連付けられたＰＤＳＣＨ（３１２ｂ）の自己スケジューリング用の一方のＰＤＣＣＨ（３１１ｂ）は、同じキャリアコンポーネント（ＰＣｅｌｌ）で送信され、他方のＰＤＣＣＨ（３１５ｂ）はＰＣｅｌｌで送信されて、第２のキャリアコンポーネント（ＳＣｅｌｌ）で送信される関連付けられたＰＤＳＣＨ（３１６ｂ）をクロスキャリアスケジュールする。この場合、ＵＥは、ＰＣｅｌｌでの共通検索空間（ＣＳＳ）及びＵＥ固有検索空間（ＵＳＳ）を監視するだけでよい。背景セクションで述べられたように、同じＤＣＩフォーマットの場合、ＦＤＤのＤＣＩ及びＴＤＤのＤＣＩのサイズは異なる。より具体的には（上でも述べたように）、
−ＴＤＤ動作のＤＣＩフォーマット０／４では、２ビットフィールドがＵＬインデックス又はＤＬ割り当てインデックス（ＤＡＩ）に使用されるが、この２ビットフィールドは、ＦＤＤ動作のＤＣＩフォーマット０／４には存在せず、
−ＴＤＤ動作のＤＣＩフォーマット１／１Ａ／１Ｂ／１Ｄ／２／２Ａ／２Ｂ／２Ｃでは、２ビットフィールドがＤＬ割り当てインデックスに使用されるが、この２ビットフィールドは、ＦＤＤ動作の１／１Ａ／１Ｂ／１Ｄ／２／２Ａ／２Ｂ／２Ｃには存在せず、
−ＴＤＤ動作のＤＣＩフォーマット１／１Ａ／１Ｂ／１Ｄ／２／２Ａ／２Ｂ／２Ｃでは、４ビットフィールドがＨＡＲＱプロセス番号に使用されるが、ＦＤＤ動作のＤＣＩフォーマット１／１Ａ／１Ｂ／１Ｄ／２／２Ａ／２Ｂ／２Ｃには３ビットフィールドがある。
【００４８】
クロスキャリアスケジューリングの場合、ＴＤＤサービングセル及びＦＤＤサービングセルのＤＣＩフォーマットの内容が、Ｒｅｌ．１０又は１１と同じままである場合、ブラインド復号化試行数は、異なるＤＣＩフォーマットサイズの数が２倍になるため、ＵＥ固有検索空間内で２倍に増大し、これにより、ＵＥ側でより高い処理能力が必要となる（これは、例えば、電池寿命の低減等に繋がり得る）。
【００４９】
本開示の重要な一態様は、ＦＤＤキャリアがＰＣｅｌｌであり、ＴＤＤキャリアがＳＣｅｌｌ（すなわち、上述した第１の配置シナリオ１１０と同様）である、クロスキャリアスケジューリングを用いてシステム間ＦＤＤ−ＴＤＤ  ＣＡのタイミング規則を確立し、システム間ＦＤＤ−ＴＤＤ  ＣＡでのブラインド復号化を低減することに関する。ブラインド復号化数を低減するためには、自己キャリアスケジューリング及びクロスキャリアスケジューリングに使用される同じサイズのＤＣＩフォーマットを有することが望ましいと考えられる。ＴＤＤ  ＳＣｅｌｌでのクロスキャリアスケジューリング送信に使用されるＰＣｅｌｌで送信されるＤＣＩフォーマットが、ＦＤＤ  ＰＣｅｌｌでの自己スケジューリング送信に使用されるＤＣＩフォーマットと同じサイズを有する場合、又はこの逆の場合、最大ブラインド復号化数は、Ｒｅｌ．１０及び１１と同様のままとすることができる。
【００５０】
この時点で（ＦＤＤ及びＴＤＤで同じサイズのＤＣＩフォーマットを設計する文脈の中で）、ＴＤＤシステムがＨＡＲＱプロセス番号の表現に４ビットを必要とし、一方、ＦＤＤシステムが３ビットのみを必要とすることを理解することが重要である。先に提案されたＬＴＥ  ＦＤＤによれば、トランスポートブロック及びフィードバックＨ−ＡＲＱ肯定応答の送信には、それぞれ１ｍｓ（又は１サブフレーム）がかかり、ＵＥ及びｅＮＢ側でのトランスポートブロックの復号化及びＨ−ＡＲＱ肯定応答処理時間はそれぞれ、最長で３ｍｓかかる。従って、トランスポートブロックを送信してから、ＬＴＥにおいてＨ−ＡＲＱ肯定応答を有するまでの往復時間（ＲＴＴ）は、少なくとも８ｍｓであり、ＨＡＲＱ処理数は、ＲＴＴ内のＤＬサブフレーム数に等しい。
【００５１】
これを図４において例として更に説明する。レガシーＦＤＤサービングセル４０１の場合、ＤＬトランスポートブロックをＤＬサブフレーム＃９  ４０４で送信するのに１ｍｓかかる。ＵＥ側において、受信したトランスポートブロックを処理するのにサブフレーム＃９の終わりから最高２．５ｍｓかかり、従って、Ｈ−ＡＲＱ肯定応答が、ＵＬサブフレーム＃３  ４０６で送信される。基地局／ｅＮＢ側において、ＵＬサブフレーム＃３  ４０６でＨ−ＡＲＱ肯定応答を受信した後、基地局／ｅＮＢが新しい送信（又は再送信）を準備するのに、ＵＬサブフレーム＃３の終わりから３ｍｓかかり、従って、次のトランスポートブロックは、ＤＬサブフレーム＃７  ４０５で送信される。ＵＥは、この送信が正しく受信されるまで１つのＤＬ送信に１つのＨＡＲＱプロセスを保持し、その結果、図４に示されるように、ＵＥはなお、ＤＬサブフレーム＃７  ４０５での再送信にＨＡＲＱ−プロセス−１を使用する。極端な場合、１つのＵＥが全てのＤＬサブフレームでスケジュールされると仮定すると、１つのＲＴＴ間隔内に８つのＤＬ送信があり、最大で８つのＨＡＲＱプロセスが必要である。その結果、８つのＨ−ＡＲＱプロセスを表すために、ＵＥ固有ＤＬ  ＤＣＩにおいて３ビットＩＥが必要とされる。
【００５２】
図４の例に示されるように、ＵＬ−ＤＬ構成＃５  ４０３を有するレガシーＴＤＤサービングセルの場合、サブフレーム＃９  ４０８、＃０  ４０９、＃１  ４１０、＃３  ４１１、＃４  ４１２、＃５  ４１３、＃６  ４１４、＃７  ４１５、＃８  ４１６でＵＥによって受信されるＤＬ送信に対するＨ−ＡＲＱ肯定応答は、次に来る無線フレーム内のＵＬサブフレーム＃２  ４１７でサービング基地局にフィードバックされる。再送信に可能な最も早い機会は、ＤＬサブフレーム＃６  ４１８である。極端な場合、１つのＵＥが全てのＤＬサブフレームでスケジュールされると仮定すると、独立したＨＡＲＱプロセスを必要とする１つのＲＴＴ内には１５個のＤＬ送信がある。その結果、最大で１５個のＨＡＲＱプロセスがＴＤＤ構成＃５（すなわち、Ｐ１〜Ｐ１５）に必要であり、従って、ＤＣＩにおいてこれらを表すために、４ビットＩＥが必要とされる。加えて、複数のＴＤＤ  ＤＬサブフレームのＨＡＲＱ−ＡＣＫは、１つのＴＤＤ  ＵＬサブフレームでフィードバックされるべきであり、ＵＥが任意の誤検出を検出するために、２ビット下りリンク割り当てインデックス（ＤＡＩ）がＤＣＩに含まれる。
【００５３】
ＦＤＤ  ＰＣｅｌｌ及びＴＤＤ  ＳＣｅｌｌを有するシステム間ＦＤＤ−ＴＤＤ  ＣＡでの自己スケジューリング
【００５４】
ＦＤＤ  ＰＣｅｌｌ及びＴＤＤ  ＳＣｅｌｌを有するシステム間ＦＤＤ−ＴＤＤ  ＣＡでの自己スケジューリングでは、ＴＤＤ  ＳＣｅｌｌによって送信され、ＤＬサブフレーム＃０  ４０８でＵＥによって受信されるＰＤＳＣＨに対応するＨＡＲＱ−ＡＣＫは、ＰＣｅｌｌのＵＬサブフレーム＃２  ４１９（ＳＣｅｌｌで送信されるようにスケジュールされたＰＵＳＣＨがない場合）又はＳＣｅｌｌのＵＬサブフレーム＃２  ４１７（ＰＵＳＣＨに含まれる）のいずれかで送信し得る。ＨＡＲＱ−ＡＣＫが、ＰＵＣＣＨを使用してＦＤＤサービングセルでフィードバックされる場合、ＦＤＤサービングセルは、バックホール２２９（バックホール２２９は、図２Ａ及び図２Ｂにおいて概略表現で示される）を介して、受信したフィードバック情報をＴＤＤサービングセルに転送し、ＴＤＤ  ＳＣｅｌｌは、ＴＤＤタイミング規則を使用して新しい送信又は再送信に対処する。ＨＡＲＱ−ＡＣＫが、ＰＵＳＣＨでＴＤＤサービングセルにおいてフィードバックされる場合、ＴＤＤサービングセルは、ＴＤＤタイミング規則を使用して新しい送信又は再送信に対処する。シグナリング手順は、Ｒｅｌ．１０又は１１  ＣＡシステムと同じであるが、ＣＡのために結合／使用される２つの基地局には異なる二重化モードが構成される。
【００５５】
ＦＤＤ  ＰＣｅｌｌ及びＴＤＤ  ＳＣｅｌｌを有するシステム間ＦＤＤ−ＴＤＤ  ＣＡでのクロスキャリアスケジューリング
【００５６】
ＦＤＤ  ＰＣｅｌｌ及びＴＤＤ  ＳＣｅｌｌを有するシステム間ＦＤＤ−ＴＤＤ  ＣＡでのクロスキャリアスケジューリングでは、ＤＬサブフレーム＃０  ４０８におけるＴＤＤサービングセルでのＰＤＳＣＨ送信に関連するＨＡＲＱ−ＡＣＫは、ＦＤＤ  ＰＣｅｌｌタイミング規則を使用してＦＤＤ  ＰＣｅｌｌ  ＵＬサブフレーム＃３  ４０６でフィードバックされ、ＦＤＤサービングセルは、ＦＤＤ  ＰＣｅｌｌタイミング規則を使用してＴＤＤサービングセルのＤＬサブフレーム＃７  ４１５で、又はサブフレーム＃７が偶然にＵＬサブフレームであった場合、サブフレーム＃７の直後の最初の入力ＤＬサブフレームでの新しい送信又は再送信のＴＤＤ  ＳＣｅｌｌに対するスケジューリングを実行する。示されるＵＬ−ＤＬ構成（ＴＤＤ  ＵＬ−ＤＬ構成＃５−この構成が最悪の事例として示されていることに留意）ではＲＴＴ間隔内に７つのＤＬサブフレームしかないため、最大ＨＡＲＱプロセス番号は７であり、ＨＡＲＱプロセス付番に３ビットを必要とする。さらに、ＤＬ送信サブフレームとＨＡＲＱ−ＡＣＫフィードバックのＵＬサブフレームとの間には１対１のマッピングがあるため、ＤＣＩフォーマットのＤＡＩ  ＩＥはもはや必要とされない。その結果、自己スケジューリングの場合にＦＤＤ  ＰＣｅｌｌで送信されるＤＣＩフォーマット及びＳＣｅｌｌ送信／受信のクロスキャリアスケジューリングでＦＤＤ  ＰＣｅｌｌで送信される別のＤＣＩフォーマットは、同じサイズを有することができ、ブラインド復号化は影響を受けない。
【００５７】
上記に鑑みて、本明細書に提示される重要な一提案（ＦＤＤ  ＰＣｅｌｌ及びＴＤＤ  ＳＣｅｌｌを有するシステム間ＦＤＤ−ＴＤＤ  ＣＡの場合）は、クロスキャリアスケジューリングがＳＣｅｌｌに構成される場合、ＴＤＤサービングセルでのＵＥのＨＡＲＱ−ＡＣＫタイミング及びＵＬスケジューリングタイミングが、ＦＤＤシステムの仕様に従うというものである。
【００５８】
本明細書に提示される別の重要な提案（ここでも、ＦＤＤ  ＰＣｅｌｌ及びＴＤＤ  ＳＣｅｌｌを有するシステム間ＦＤＤ−ＴＤＤ  ＣＡの場合）は、クロスキャリアスケジューリングがＳＣｅｌｌに構成される場合、クロスキャリアスケジューリングＴＤＤサービングセルの場合にＦＤＤサービングセルで送信されるＤＣＩが、ＦＤＤサービングセルのＤＣＩフォーマットと同じＩＥを有することである。
【００５９】
本明細書に提示される更に別の重要な提案（ここでも、ＦＤＤ  ＰＣｅｌｌ及びＴＤＤ  ＳＣｅｌｌを有するシステム間ＦＤＤ−ＴＤＤ  ＣＡの場合）は、自己スケジューリングがＳＣｅｌｌに構成される場合、レガシーＴＤＤシステムの仕様に従う。
【００６０】
第１の配置シナリオに関連付けられた上記考察から続き、システム間ＦＤＤ−ＴＤＤ  ＣＡをサポートするシステムを一緒に形成するＦＤＤ基地局２１０、ＴＤＤ基地局２３０、及びシステム間ＦＤＤ−ＴＤＤ  ＣＡ可能ＵＥ２５０で実施し得る手順は、以下であり得る。
【００６１】
まず、ＦＤＤマクロ基地局２１０を検出し、ＦＤＤキャリア２７０での上記マクロ基地局２１０を通して高度モバイルネットワークとＲＲＣ接続を確立するシステム間ＦＤＤ−ＴＤＤ  ＣＡ可能ＵＥ２５０では、ＲＲＣ接続モードである間、上記ＵＥ２５０は、高度モバイルネットワークにより、専用ＲＲＣシグナリングを使用して上記マクロ基地局２１０を通して、集約ＴＤＤ  ＳＣｅｌｌとしてＴＤＤピコ基地局２３０によってそれぞれサービングされる１つ又は複数のＴＤＤ小規模セルを測定して追加するように構成し得る。集約ＴＤＤ  ＳＣｅｌｌでのデータ送信／受信に対して、クロスキャリアスケジューリングを構成し得る。
【００６２】
クロスキャリアスケジューリングがイネーブルされている場合、ネットワーク側（すなわち、基地局２１０及び各基地局２３０において）、ＰＣｅｌｌ  ＦＤＤ基地局２１０のＤＬスケジューリングモジュール２１８は、バックホール２２９を介してＦＤＤ  ＰＣｅｌｌ及びＴＤＤ  ＳＣｅｌｌの両方でのＤＬデータ送信をスケジュールするものとする。ＵＥは、ＦＤＤ  ＰＣｅｌｌ基地局へのＦＤＤ  ＰＣｅｌｌ  ＤＬキャリア及びＴＤＤ  ＳＣｅｌｌ  ＤＬキャリアでのデータ受信に応答して、ＦＤＤタイミング及びフィードバック規則に従って、ＨＡＲＱ−ＡＣＫをフィードバックすることが予期される。ＰＣｅｌｌ  ＦＤＤ基地局２１０のＤＬスケジューリングモジュール２１８は、ＦＤＤ  ＤＣＩフォーマット（すなわち、３ビットＨＡＲＱ番号フィールドを有し、ＤＡＩフィールドを有さないＤＣＩ）を使用して、ＦＤＤ  ＰＣｅｌｌ  ＤＬキャリア及びＴＤＤ  ＳＣｅｌｌ  ＤＬキャリアでのＤＬデータ送信を上記ＵＥに通知するように、ＤＣＩ処理モジュール２２０を構成するものとする。
【００６３】
さらに、クロスキャリアスケジューリングがイネーブルされている場合、ＰＣｅｌｌ  ＦＤＤ基地局２１０のＵＬスケジューリングモジュール２１７は、ＦＤＤ  ＰＣｅｌｌ及びＴＤＤ  ＳＣｅｌｌの両方でのＵＥからのＵＬデータ送信をスケジュールし、ＦＤＤ  ＵＬスケジューリングタイミング規則を使用してＦＤＤ  ＰＣｅｌｌ送信及びＴＤＤ  ＳＣｅｌｌ送信のＵＬグラントを送信するように、ＤＣＩ処理モジュール２２０を構成するものとする。
【００６４】
クロスキャリアスケジューリングがイネーブルされており、ＵＥ２５０が、ＤＣＩ処理モジュール２６０でのＤＣＩ処理において、ＦＤＤ  ＰＣｅｌｌ及びＴＤＤ  ＳＣｅｌｌを有するシステム間ＦＤＤ−ＴＤＤ  ＣＡを実行するように構成される場合、ＵＥ２５０は、ＦＤＤ  ＰＣｅｌｌで受信されるものと同サイズ（すなわち、３ビットＨＡＲＱプロセス番号フィールドがあり、スケジューリングＤＬ送信ＤＣＩではＤＡＩビットフィールドはない）のＤＣＩが、ＰＣｅｌｌ及びＳＣｅｌｌの両方のＤＬスケジューリング及びＵＬスケジューリングを提供すると仮定する。ＳＣｅｌｌのＤＬスケジューリングを受信すると、ＵＥ２５０は、ＦＤＤタイミング規則を、ＦＤＤ  ＰＣｅｌｌへのＨＡＲＱ−ＡＣＫのフィードバックに適用する。ＴＤＤ  ＳＣｅｌｌ  ＵＬキャリアでのＵＬデータ送信のＵＬグラントを受信すると、ＵＥ２５０は、ＦＤＤタイミング規則を、ＴＤＤ  ＳＣｅｌｌへのＰＵＳＣＨの送信に適用する。
【００６５】
クロスキャリアスケジューリングが構成されていない場合（又はディセーブルされている場合）、ネットワーク側において、ＰＣｅｌｌ  ＦＤＤ基地局２１０のＤＬスケジューリングモジュール２１８は、ＦＤＤ  ＰＣｅｌｌのみでＤＬデータ送信をスケジュールするものとし、ＳＣｅｌｌ  ＴＤＤ基地局２３０のＤＬスケジューリングモジュール２３８は、ＴＤＤ  ＳＣｅｌｌのみでＤＬデータ送信をスケジュールするものとする。ＵＥ２５０は、ＦＤＤ  ＰＣｅｌｌ  ＤＬキャリアでのデータ受信に応答して、ＦＤＤタイミング及びフィードバック規則に従って、ＦＤＤ  ＰＣｅｌｌ基地局にＨＡＲＱ−ＡＣＫをフィードバックし、ＴＤＤ  ＳＣｅｌｌ  ＤＬキャリアでのデータ受信に応答して、ＴＤＤタイミング及びフィードバック規則に従って、ＴＤＤ  ＳＣｅｌｌ基地局にＨＡＲＱ−ＡＣＫをフィードバックすることが予期される。ＰＵＣＣＨにおいてＳＣｅｌｌのＨＡＲＱ−ＡＣＫを受信すると、ＦＤＤ  ＰＣｅｌｌ基地局は、バックホール２２９を介して、受信したＳＣｅｌｌ  ＨＡＲＱ−ＡＣＫをＳＣｅｌｌに転送するものとする。ＰＣｅｌｌ  ＦＤＤ基地局２１０のＤＬスケジューリングモジュール２１８は、ＦＤＤ  ＤＣＩフォーマットを使用して、ＦＤＤ  ＰＣｅｌｌ  ＤＬキャリアでのＤＬデータ送信を上記ＵＥに通知するようにＤＣＩ処理モジュール２２０を構成するものとし、ＳＣｅｌｌ  ＴＤＤ基地局２３０のＤＬスケジューリングモジュール２３８は、ＴＤＤ  ＤＣＩフォーマットを使用して、ＴＤＤ  ＳＣｅｌｌ  ＤＬキャリア（すなわち、４ビットＨＡＲＱ番号フィールド及び２ビットＤＡＩフィールドを有するＴＤＤ  ＤＣＩ）でのＤＬデータ送信を上記ＵＥに通知するように、ＤＣＩ処理モジュール２４０を構成するものとする。
【００６６】
さらに、クロスキャリアスケジューリングがディセーブルされている場合、ＰＣｅｌｌ  ＦＤＤ基地局２１０のＵＬスケジューリングモジュール２１７は、ＦＤＤ  ＰＣｅｌｌでのＵＥからのＵＬデータ送信をスケジュールし、ＦＤＤ  ＵＬスケジューリングタイミング規則を使用してＦＤＤ  ＰＣｅｌｌ送信のＵＬグラントを送信するように、ＤＣＩ処理モジュール２２０を構成するものとする。ＳＣｅｌｌ  ＴＤＤ基地局２３０のＵＬスケジューリングモジュール２３７は、ＴＤＤ  ＳＣｅｌｌでのＵＥからのＵＬデータ送信をスケジュールし、ＴＤＤ  ＵＬスケジューリングタイミング規則を使用して、ＴＤＤ  ＳＣｅｌｌ送信のＵＬグラントを送信するように、ＤＣＩ処理モジュール２４０を構成するものとする。
【００６７】
クロスキャリアスケジューリングがディセーブルされており、ＵＥが、ＦＤＤ  ＰＣｅｌｌ及びＴＤＤ  ＳＣｅｌｌを有するＦＤＤ−ＴＤＤシステム間ＣＡを実行するように構成される場合、ＤＣＩ処理モジュール２６０においてＳＣｅｌｌで受信したＤＣＩを処理するに当たり、ＵＥ２５０は、受信したＴＤＤ  ＤＣＩ（すなわち、４ビットＨＡＲＱプロセス番号フィールド及び２ビットＤＡＩフィールド）がＳＣｅｌｌのＤＬスケジューリング及びＵＬスケジューリングを提供すると仮定する。ＳＣｅｌｌのＤＬスケジューリングを受信すると、ＵＥ２５０は、ＴＤＤタイミング規則を適用して、ＰＵＣＣＨでのＨＡＲＱ−ＡＣＫをＦＤＤ  ＰＣｅｌｌにフィードバックする。ＴＤＤ  ＳＣｅｌｌ  ＵＬキャリアでのＵＬデータ送信のＵＬグラントを受信すると、ＵＥ２５０は、ＴＤＤタイミング規則を適用して、ＰＵＳＣＨをＴＤＤ  ＳＣｅｌｌに送信する。
【００６８】
本開示の別の重要な態様は、システム間ＦＤＤ−ＴＤＤ  ＣＡのタイミング規則を確立して、ＴＤＤキャリアがＰＣｅｌｌであり、ＦＤＤキャリアがＳＣｅｌｌである（すなわち、上述した第２の配置シナリオ１１１と同様に）クロスキャリアスケジューリングを用いるシステム間ＦＤＤ−ＴＤＤ  ＣＡでのブラインド復号化試行を低減することに関する。
【００６９】
ＴＤＤ  ＰＣｅｌｌ及びＦＤＤ  ＳＣｅｌｌを有するシステム間ＦＤＤ−ＴＤＤ  ＣＡでの自己スケジューリング
【００７０】
ＴＤＤキャリアがＰＣｅｌｌであり、ＦＤＤキャリアがＳＣｅｌｌであるシステム間ＦＤＤ−ＴＤＤ  ＣＡでの自己スケジューリング（すなわち、クロスキャリアスケジューリングがディセーブルされている）場合、ＴＤＤサービングセル（ＰＣｅｌｌ）のＨＡＲＱ−ＡＣＫタイミング及びＵＬグラントタイミングは、レガシーＴＤＤ仕様に従う。図５で示されるタイミングを参照すると、ＴＤＤサービングセル、すなわち、サブフレーム＃０  ５１３及びサブフレーム＃１  ５１４での２つのＤＬ  ＰＤＳＣＨ送信ＨＡＲＱ−ＡＣＫは、ＴＤＤ  ＵＬサブフレーム＃７  ５１６でフィードバックされる。他方、ＦＤＤサービングセルの場合、ＵＥはＰＣｅｌｌでのみＰＵＣＣＨを送信するため、ＤＬ  ＨＡＲＱ−ＡＣＫタイミングは、もはやレガシーＦＤＤ仕様に従うことはできない。従って、図５を参照すると、ＦＤＤ  ＤＬサブフレーム＃０  ５０８及びサブフレーム＃１  ５０９での２つのＤＬ送信は、ＰＣｅｌｌ  ＰＵＣＣＨを使用してＵＬサブフレーム＃４  ５０４及びＵＬサブフレーム＃５  ５０５でフィードバックすることができない。ＨＡＲＱ−ＡＣＫをピギーバックすることができる場合、ＦＤＤ  ＵＬサブフレーム＃４  ５０４及びＵＬサブフレーム＃５  ５０５でのＰＵＳＣＨ送信のＵＬグラントがあることの保証はない。
【００７１】
ＤＬ送信のＨＡＲＱ−ＡＣＫをフィードバックするために、ＴＤＤサービングセルでのサブフレームと同じ送信方向を有するＦＤＤサービングセルでのサブフレームは、ＴＤＤサービングセルのＨＡＲＱ−ＡＣＫタイミングに従うべきである。
【００７２】
ＴＤＤサービングセルでのサブフレーム（例えば、サブフレーム＃２  ５１８及びサブフレーム＃３  ５１９）とは異なる送信方向を有するＦＤＤサービングセルでのＤＬサブフレーム（例えば、ＤＬサブフレーム＃２  ５１０及びＤＬサブフレーム＃３  ５１１）の場合、ＨＡＲＱ−ＡＣＫタイミングに２つの選択肢がある。
選択肢１：ＤＬサブフレーム＃０  ５０８及びＤＬサブフレーム＃１  ５０９での前のＤＬ送信に関連付け、ＴＤＤタイミング規則を使用して、ＰＵＳＣＨでのＦＤＤサービングセル又はＰＵＣＣＨでのＴＤＤサービングセルで、ＵＬサブフレーム＃７においてフィードバックする。
選択肢２：ＤＬサブフレーム＃４  ５１２内の入力ＤＬ送信に関連付け、ＰＵＳＣＨを使用してＦＤＤサービングセルで、又はＰＵＣＣＨを使用してＴＤＤサービングセルで、ＴＤＤタイミング規則を使用してＵＬサブフレーム＃８においてフィードバックする。
【００７３】
選択肢１には、ＨＡＲＱ−ＡＣＫフィードバック遅延がより短いという利点があるが、ＴＤＤシステムによれば、ＤＬサブフレーム＃１  ５１４で送信されるＵＬグラントを搬送するＤＣＩのＷ（ＤＬ，ＤＡＩ）は、サブフレーム＃２  ５１０及び／又はサブフレーム＃３  ５１１で動的にスケジュールし得る将来のＤＬ送信を含むことができず、その結果、これは基地局とＵＥとの間に曖昧さを生じさせることがあり、ｅＮＢとＵＥとの間の曖昧さを回避するために、ＨＡＲＱ−ＡＣＫビットを常にこれらのＤＬ送信にフィードバックすべきである。
【００７４】
他方、選択肢２は、ＤＬサブフレーム＃２  ５１０及びＤＬサブフレーム＃３  ５１１でのＤＬ送信は、ＵＬグラントがＴＤＤ  ＰＣｅｌｌで送信されるサブフレームの前に、ＤＬサブフレームで送信されるように構成されるため、この曖昧さ問題を有さない。選択肢１と比較して、ＨＡＲＱ−ＡＣＫフィードバックに追加の１サブフレーム遅延が存在する。
【００７５】
ＵＬ送信のＨＡＲＱ−ＡＣＫタイミングに関して、ＰＨＩＣＨリソースには制限がないため、レガシーＦＤＤタイミングに従うことができる。ＵＬグラントタイミングでも、レガシーＦＤＤタイミングに従うことができる。
【００７６】
ＴＤＤ  ＰＣｅｌｌ及びＦＤＤ  ＳＣｅｌｌを有するシステム間ＦＤＤ−ＴＤＤ  ＣＡでのクロスキャリアスケジューリング
【００７７】
ＴＤＤキャリアがＰＣｅｌｌであり、ＦＤＤキャリアがＳＣｅｌｌであるシステム間ＦＤＤ−ＴＤＤ  ＣＡでのクロスキャリアスケジューリングの場合、ＴＤＤ  ＰＣｅｌｌとＦＤＤ  ＳＣｅｌｌとの送信方向の違いに起因して、全てのＦＤＤ  ＳＣｅｌｌサブフレームをクロスキャリアスケジュールすることができることの保証はない。クロスキャリアスケジューリング用に構成されたＵＥは、スケジューリングサービングセル（すなわち、この場合、ＴＤＤ  ＰＣｅｌｌ）でのＣＳＳ及びＵＳＳのみを監視するものとする。図５を参照すると、ＤＬサブフレーム＃０  ５０８及びサブフレーム＃１  ５０９でのＦＤＤ  ＤＬ送信は、ＴＤＤ  ＰＣｅｌｌでの対応するサブフレームがＤＬサブフレームとして使用されるため、クロスキャリアスケジュールすることができる。しかし、クロスキャリアスケジューリングでのＰＤＣＣＨは、ＵＬサブフレームとして構成されたＴＤＤ  ＰＣｅｌｌでの対応するサブフレームで送信することができないため、ＦＤＤ  ＳＣｅｌｌ  ＤＬサブフレーム＃２及びサブフレーム＃３でのＰＤＳＣＨ送信はない。ＵＬグラントにも同様の問題がある。
【００７８】
この制限を軽減するために、特にチャネル状況が急速に変化しない場合、クロスサブフレームクロスキャリアスケジューリング又はマルチサブフレームクロスキャリアスケジューリングを採用することができる。例えば、ＤＬサブフレーム＃２  ５１０及びサブフレーム＃３  ５１１でのＰＤＳＣＨ送信に対応するＰＤＣＣＨは、ＤＬサブフレーム＃０  ５１３及び／又はＤＬサブフレーム＃１  ５１４で送信することができる。同様に、ＵＬスケジューリングでの制限も解決することができる。
【００７９】
図６を参照すると、ＴＤＤ構成＃５を有するＴＤＤサービングセルはＰＣｅｌｌとして構成され、ＦＤＤサービングセルはＳＣｅｌｌとして構成される。ＴＤＤサービングセルのＨＡＲＱタイミングに従うことにより、ＦＤＤ  ＤＬサブフレーム＃９  ６０４、サブフレーム＃０  ６０５、サブフレーム＃１  ６０６、サブフレーム＃２  ６０７、サブフレーム＃３  ６０８、サブフレーム＃４  ６０９、サブフレーム＃５  ６１０、サブフレーム＃６  ６１１、サブフレーム＃７  ６１２、及びサブフレーム＃８  ６１３でのＦＤＤ  ＳＣｅｌｌ  ＤＬ送信に関連するＨＡＲＱ−ＡＣＫは、ＰＵＳＣＨを使用してＦＤＤ  ＳＣｅｌｌ  ＵＬサブフレーム＃２  ６１６で、又はＰＵＣＣＨを使用してＴＤＤ  ＰＣｅｌｌ  ＵＬサブフレーム＃２でフィードバックされる。この最悪事例のシナリオでは、ＨＡＲＱ  ＲＴＴは１７個のＤＬサブフレームに等しいため、１７個の独立したＨＡＲＱプロセスが必要であり、これには５個のＨＡＲＱ−ＡＣＫビットが必要である。さらに、複数のＦＤＤ  ＤＬサブフレームのＨＡＲＱ−ＡＣＫは、１つのＵＬサブフレーム（６１６又は６２６）でフィードバックされ、ＤＬ関連付けセット内での任意の誤検出を見つけるために、２ビットＤＡＩがＤＣＩに含められるべきである。５個のＨＡＲＱ−ＡＣＫビット及び２個のＤＡＩビットを既存のＦＤＤ  ＤＣＩに追加すると、同じフォーマットの既存のＴＤＤ  ＤＣＩよりも１つ多くのビット（すなわち、同じフォーマットの既存のＴＤＤ  ＤＣＩと比較して、追加の１ビット）が生じ、これは、ブラインド復号化の数の増大に繋がる。従って、ＨＡＲＱ−ＡＣＫのビット数を４に制限し、それにより、最高で１６のＨ−ＡＲＱプロセスをサポートすることが提案される。これは、４つのＨＡＲＱ−ＡＣＫビット及び２ビットＤＡＩを有するＦＤＤ  ＳＣｅｌｌのＤＣＩフォーマットを作り出し、ＴＤＤ  ＰＣｅｌｌ  ＤＣＩと同じサイズを有するＦＤＤ  ＳＣｅｌｌ  ＤＣＩにし、従って、ブラインド復号化をＲｅｌ．１０又は１１と同じ数に保つ。
【００８０】
上記に鑑みて本明細書に提示される重要なさらなる提案（今度は、ＴＤＤ  ＰＣｅｌｌ及びＦＤＤ  ＳＣｅｌｌを有するシステム間ＦＤＤ−ＴＤＤ  ＣＡでのクロスキャリアスケジューリングの場合）は、ＰＤＣＣＨがＦＤＤ  ＳＣｅｌｌで送信されるか、それともＴＤＤ  ＰＣｅｌｌで送信されるかに関係なく、ＨＡＲＱプロセス番号に追加の１ビット及び２ビットＤＡＩをＦＤＤサービングセルのＵＥ固有ＤＣＩフォーマットに含めるべきであるというものである。
【００８１】
本明細書に提示される別の重要な提案（今度は、ＴＤＤ  ＰＣｅｌｌ及びＦＤＤ  ＳＣｅｌｌを有するシステム間ＦＤＤ−ＴＤＤ  ＣＡの場合）は、自己スケジューリングの場合、ＴＤＤ  ＰＣｅｌｌに対応するＵＬサブフレームを有するＦＤＤ  ＳＣｅｌｌでのＤＬサブフレームを、ＴＤＤ  ＰＣｅｌｌでのＤＬサブフレームに対応するＤＬサブフレームでの入力ＤＬ送信と一緒にフィードバックすべきであるというものである。
【００８２】
本明細書に提示される更に別の重要な提案（ここでも、ＴＤＤ  ＰＣｅｌｌ及びＦＤＤ  ＳＣｅｌｌを有するシステム間ＦＤＤ−ＴＤＤ  ＣＡ）は、
−ＤＬ送信のＨＡＲＱタイミングがＴＤＤシステムのタイミングに従うべきであり、
−クロスキャリアスケジューリングが構成されていない場合には、ＵＬ送信のＨＡＲＱタイミング及びＦＤＤサービングセルのＵＬグラントタイミングが、ＦＤＤシステムのタイミングに従うべきであり、その他の場合には、ＴＤＤシステムのタイミングに従う
というものである。
【００８３】
第２の配置シナリオに関連付けられた上記考察から続き、システム間ＦＤＤ−ＴＤＤ  ＣＡをサポートするシステムを一緒に形成するＦＤＤ基地局２１０、ＴＤＤ基地局２３０、及びシステム間ＦＤＤ−ＴＤＤ  ＣＡ可能ＵＥ２５０で実施し得る手順は、以下であり得る。
【００８４】
まず、ＴＤＤピコ基地局２３０を検出し、ＴＤＤキャリア２８０での上記ピコ基地局２３０を通して高度モバイルネットワークとＲＲＣ接続を確立するシステム間ＦＤＤ−ＴＤＤ  ＣＡ可能ＵＥ２５０の場合、ＲＲＣ接続モードである間、上記ＵＥは、高度モバイルネットワークにより、専用ＲＲＣシグナリングを使用して上記ピコ基地局２３０を通して、ＦＤＤマクロ基地局２１０によってサービングされるＦＤＤマクロセルを測定し、集約ＦＤＤ  ＳＣｅｌｌとして追加するように構成し得る。集約ＦＤＤ  ＳＣｅｌｌ２７０でのデータ送信／受信に対して、クロスキャリアスケジューリングを構成し得る。
【００８５】
クロスキャリアスケジューリングがイネーブルされている場合、ＰＣｅｌｌ  ＴＤＤ基地局２３０の２３８のＤＬスケジューリングモジュールは、バックホール２２９を介してＴＤＤ  ＰＣｅｌｌ及びＦＤＤ  ＳＣｅｌｌの両方でのＤＬデータ送信をスケジュールするものとする。ＵＥ２５０は、ＴＤＤ  ＰＣｅｌｌ  ＤＬキャリア及びＦＤＤ  ＳＣｅｌｌ  ＤＬキャリアでのデータ受信に応答して、ＴＤＤタイミング及びＴＤＤフィードバック規則に従って、ＨＡＲＱ−ＡＣＫをＴＤＤ  ＰＣｅｌｌ基地局２３０にフィードバックするものと予期される。ＰＣｅｌｌ  ＴＤＤ基地局２３０のＤＬスケジューリングモジュール２３８は、ＴＤＤ  ＤＣＩフォーマット（すなわち、４ビットＨＡＲＱ番号フィールド及び２ビットＤＡＩフィールドを有するＤＣＩ）を使用して、ＴＤＤ  ＰＣｅｌｌ  ＤＬキャリア２８０及びＦＤＤ  ＳＣｅｌｌ  ＤＬキャリア２７０でのＤＬデータ送信を上記ＵＥ２５０に通知するようにＤＣＩ処理モジュール２４０を構成するものとする。
【００８６】
さらに、クロスキャリアスケジューリングがイネーブルされている場合、ＰＣｅｌｌ  ＴＤＤ基地局２３０のＵＬスケジューリングモジュール２３７は、ＴＤＤ  ＰＣｅｌｌ及びＦＤＤ  ＳＣｅｌｌの両方でのＵＥからのＵＬデータ送信をスケジュールし、ＴＤＤ  ＵＬスケジューリングタイミング規則を使用してＴＤＤ  ＰＣｅｌｌ送信及びＦＤＤ  ＳＣｅｌｌ送信のＵＬグラントを送信するように、ＤＣＩ処理モジュール２４０を構成するものとする。
【００８７】
クロスキャリアスケジューリングがイネーブルされており、ＵＥ２５０が、ＴＤＤ  ＰＣｅｌｌ及びＦＤＤ  ＳＣｅｌｌを有するＦＤＤ−ＴＤＤシステム間ＣＡを実行するように構成される場合、ＤＣＩ処理モジュール２６０でのＤＣＩ処理において、ＵＥ２５０は、ＴＤＤ  ＰＣｅｌｌキャリア２８０で受信されるものと同じサイズのＴＤＤ  ＤＣＩ（すなわち、スケジューリングＤＬ送信ＤＣＩの場合、４ビットＨＡＲＱプロセス番号フィールド及び２ビットＤＡＩフィールド）が、ＴＤＤ  ＰＣｅｌｌ及びＦＤＤ  ＳＣｅｌｌの両方でのＤＬスケジューリング及びＵＬスケジューリングを提供すると仮定する。ＳＣｅｌｌのＤＬスケジューリング及びＤＬデータを受信すると、ＵＥ２５０は、ＴＤＤ  ＰＣｅｌｌへのＨＡＲＱ−ＡＣＫのフィードバックにＴＤＤタイミング規則を適用する。ＦＤＤ  ＳＣｅｌｌ  ＵＬキャリア２７０でのＵＬデータ送信のＵＬグラントを受信すると、ＵＥ２５０は、ＦＤＤ  ＳＣｅｌｌへのＰＵＳＣＨの送信にＴＤＤタイミング規則を適用する。
【００８８】
クロスキャリアスケジューリングが構成されていない（又はディセーブルされている）場合、基地局２３０において、ＰＣｅｌｌ  ＴＤＤ基地局２３０のＤＬスケジューリングモジュール２３８は、ＴＤＤ  ＰＣｅｌｌのみでＤＬデータ送信をスケジュールするものとし、ＳＣｅｌｌ  ＦＤＤ基地局２１０のＤＬスケジューリングモジュール２１８は、ＦＤＤ  ＳＣｅｌｌのみでＤＬデータ送信をスケジュールするものとする。ＵＥは、ＴＤＤ  ＰＣｅｌｌ  ＤＬキャリア２８０でのデータ受信に応答して、ＴＤＤタイミング及びＴＤＤフィードバック規則に従って、ＴＤＤ  ＰＣｅｌｌ基地局にＨＡＲＱ−ＡＣＫをフィードバックし、ＦＤＤ  ＳＣｅｌｌ  ＤＬキャリア２７０でのデータ受信に応答して、ＰＣｅｌｌのＴＤＤタイミング及びＴＤＤフィードバック規則に従って、ＦＤＤ  ＳＣｅｌｌ基地局にＨＡＲＱ−ＡＣＫをフィードバックすることが予期される。さらに、ＵＥは、ＴＤＤ  ＰＣｅｌｌでのＤＬサブフレームに対応するＤＬサブフレームでの入力ＤＬ送信と共に、ＴＤＤ  ＰＣｅｌｌに対応するＵＬサブフレームを有するＦＤＤ  ＳＣｅｌｌでのＤＬサブフレームでスケジュールされたデータのＨＡＲＱ−ＡＣＫをフィードバックすることが予期される。ＰＵＣＣＨにおいてＳＣｅｌｌのＨＡＲＱ−ＡＣＫを受信すると、ＴＤＤ  ＰＣｅｌｌ基地局２３０は、バックホール２２９を介して、受信したＳＣｅｌｌ  ＨＡＲＱ−ＡＣＫをＦＤＤ  ＳＣｅｌｌ２１０に転送するものとする。ＰＣｅｌｌ  ＴＤＤ基地局２３０のＤＬスケジューリングモジュール２３８は、ＴＤＤ  ＤＣＩフォーマットを使用して、ＴＤＤ  ＰＣｅｌｌ  ＤＬキャリア２８０でのＤＬデータ送信を上記ＵＥに通知するように、ＤＣＩ処理モジュール２４０を構成するものとし、ＳＣｅｌｌ  ＦＤＤ基地局２１０のＤＬスケジューリングモジュール２１８は、ＴＤＤ  ＤＣＩフォーマット（すなわち、４ビットＨＡＲＱ番号フィールド及び２ビットＤＡＩフィールドを有するＴＤＤ  ＤＣＩ）を使用して、ＦＤＤ  ＳＣｅｌｌ  ＤＬキャリア２７０でのＤＬデータ送信を上記ＵＥに通知するように、ＤＣＩ処理モジュール２２０を構成するものとする。
【００８９】
さらに、クロスキャリアスケジューリングがディセーブルされている場合、ＴＤＤ  ＰＣｅｌｌ基地局２３０のＵＬスケジューリングモジュール２３７は、ＴＤＤ  ＰＣｅｌｌでのＵＥからのＵＬデータ送信をスケジュールし、ＴＤＤ  ＵＬスケジューリングタイミング規則を使用してＴＤＤ  ＰＣｅｌｌ送信のＵＬグラントを送信するように、ＤＣＩ処理モジュール２４０を構成するものとする。ＳＣｅｌｌ  ＦＤＤ基地局２１０のＵＬスケジューリングモジュール２１７は、ＦＤＤ  ＳＣｅｌｌキャリア２７０でのＵＥからのＵＬデータ送信をスケジュールし、ＦＤＤ  ＵＬスケジューリングタイミング規則及びＦＤＤ  ＨＡＲＱ−ＡＣＫ規則を使用してＦＤＤ  ＳＣｅｌｌ送信のＵＬグラントを送信するように、ＤＣＩ処理モジュール２２０を構成するものとする。
【００９０】
クロスキャリアスケジューリングがディセーブルされており、ＵＥ２５０が、ＴＤＤ  ＰＣｅｌｌ及びＦＤＤ  ＳＣｅｌｌを有するＦＤＤ−ＴＤＤシステム間ＣＡを実行するように構成される場合、ＤＣＩ処理モジュール２６０においてＦＤＤ  ＳＣｅｌｌ  ＤＬキャリア２７０で受信されたＤＣＩを処理するに当たり、ＵＥ２５０は、受信したＴＤＤ  ＤＣＩ（すなわち、スケジューリングＤＬ送信ＤＣＩの場合、４ビットＨＡＲＱプロセス番号フィールド及び２ビットＤＡＩフィールド）が、ＳＣｅｌｌのＤＬスケジューリング及びＵＬスケジューリングを提供すると仮定する。ＳＣｅｌｌのＤＬスケジューリング及び送信データを受信すると、ＵＥ２５０は、ＴＤＤタイミング規則を、ＦＤＤ  ＳＣｅｌｌへのＨＡＲＱ−ＡＣＫのフィードバックに適用する。さらに、ＴＤＤ  ＰＣｅｌｌに対応するＵＬサブフレームを有するＦＤＤ  ＳＣｅｌｌ  ＤＬサブフレームのＤＬスケジューリング及び送信データを受信すると、ＵＥは、ＴＤＤ  ＰＣｅｌｌでのＤＬサブフレームに対応するＤＬサブフレームでの入力ＤＬ送信と共に、それらのＤＬサブフレームでスケジュールされたデータのＨＡＲＱ−ＡＣＫをフィードバックする。ＦＤＤ  ＳＣｅｌｌ  ＵＬキャリアでのＵＬデータ送信のＵＬグラントを受信すると、ＵＥ２５０は、ＦＤＤタイミング規則を、ＦＤＤ  ＳＣｅｌｌへのＰＵＳＣＨ送信に適用する。
【００９１】
本開示の更に別の重要な態様は、ＦＤＤキャリアがＰＣｅｌｌであり、フレキシブルＴＤＤキャリア（すなわち、ＴＤＤｅＩＭＴＡ）がＳＣｅｌｌである（すなわち、上述した第３の配置シナリオ１１２と同様）システム間ＦＤＤ−ＴＤＤ  ＣＡを可能にすることに関する。
【００９２】
ＴＤＤ  ｅＩＭＴＡシステムの場合、２つの特定の問題がここで関連する。これらのうちの一方は、高速ＴＤＤ構成指示をいかに送信するかである。他方は、ＵＬ送信及びＤＬ送信のＨＡＲＱ−ＡＣＫをいかにフィードバックし、ＵＬグラントタイミングをいかに決定するかである。最初の問題では、作業仮説を立て、明示的ＵＥ共通物理層シグナリングを使用して、高速ＴＤＤ構成をｅＩＭＴＡ対応ＵＥに通知するものとする。２番目の問題では、受け入れられる解決策はまだ見つかってない。
【００９３】
ＬＴＥ  ＦＤＤ−ＴＤＤシステム間ＣＡの場合、ＴＤＤサービングセルでのフレキシブルＴＤＤを可能にすることも可能であり、従って、上記問題も解決されるはずであり、より重要なことに、この解決策は必ずしも、ＦＤＤ−ＴＤＤ  ＣＡ動作なしのＴＤＤ  ｅＩＭＴＡシステムと同じである必要はない。
【００９４】
レガシーＬＴＥシステムによれば、キャリアアグリゲーション可能ＵＥの場合、ＳＣｅｌｌのシステム情報は、追加のＳＣｅｌｌを構成する手順の一環としてＰＣｅｌｌ接続性を利用して、専用ＲＲＣシグナリングを使用してＵＥに提供される（すなわち、ＲＲＣＣｏｎｎｅｃｔｉｏｎＲｅｃｏｎｆｉｇｕｒａｔｉｏｎメッセージとして）。ＳＣｅｌｌでのシステム情報を読み取る代わりに専用シグナリングを使用することにより、端末としてＳＣｅｌｌをより高速にアクティブ化することができ、そうしなければ、関連するシステム情報が送信されるまで待つ必要がある。ＳＣｅｌｌが構成され、アクティブ化されると、ＵＥは、クロスキャリアスケジューリングがない場合、ＰＣｅｌｌでのＣＳＳ及びＵＳＳ並びにＳＣｅｌｌでのＵＳＳのみを監視するものとする。ＵＥにクロスキャリアスケジューリングが構成される場合、ＵＥは、ＰＣｅｌｌのＣＳＳ及びＵＳＳのみを監視するものとする。
【００９５】
ＦＤＤ−ＴＤＤシステム間ＣＡでは、ＴＤＤ  ＳＣｅｌｌでのＣＳＳが利用可能ではないことがある。この場合、技術的に、ＰＣｅｌｌを通しての専用ＲＲＣシグナリングを使用して、ＦＤＤ−ＴＤＤ  ＣＡ可能ＵＥに、更新された瞬間ＴＤＤ  ＵＬ−ＤＬ構成を通知することができる。しかし、これは、セル内の実際の瞬間トラフィックを反映するフレキシブルＴＤＤの要件を満たすのに十分に高速ではないことがある。従って、ＴＤＤ  ＳＣｅｌｌ内のフレキシブルサブフレームの送信方向を示すために、２つの選択肢が提案される。
選択肢１：ＴＤＤサービングセルの高速ＴＤＤ構成指示を送信するように、ＦＤＤサービングセルでの明示的ＵＥ共通物理層シグナリングを設計する。
選択肢２：関連するＤＬ／ＵＬスケジューリングによって送信方向を暗黙的に伝達する。
【００９６】
選択肢１の場合、ＬＴＥ  ｅＩＭＴＡシステム用に設計される高速ＴＤＤ構成シグナリングを再使用し、ＬＴＥ  ＦＤＤ−ＴＤＤシステム間ＣＡにおいてＦＤＤ  ＰＣｅｌｌで送信することができる。フレキシブルＴＤＤが構成されたＵＥは、ＰＣｅｌｌでの共通物理層シグナリングを監視し、ＴＤＤ  ＳＣｅｌｌの高速ＴＤＤ構成指示を復号化しようとする。高速ＴＤＤ再構成の新しいＤＣＩフォーマットは、既存のＤＣＩ、例えば、ＤＣＩフォーマット１Ｃと同じサイズであると予期されるため、ＦＤＤ  ＰＣｅｌｌでの合計ブラインド復号化は同じに保つことができる。この選択肢は、クロスキャリアスケジューリングがイネーブルされている場合及びディセーブルされている場合の両方で有効である。
【００９７】
選択肢２の場合、高速ＴＤＤ再構成のために明示的シグナリングは送信されず、送信方向は、ＦＤＤ  ＰＣｅｌｌで送信されたクロスキャリアスケジューリング情報から推測される。図４を一例として参照し、ＵＥがＴＤＤ  ＳＣｅｌｌの瞬間ＴＤＤ  ＵＬ−ＤＬ構成を知らないと仮定する。Ｒｅｌ．１０／１１仕様によれば、ＵＥは、ＰＣｅｌｌでのＵＳＳ及びＣＳＳを監視し、ＦＤＤ  ＰＣｅｌｌでの自己スケジューリング及びＴＤＤ  ＳＣｅｌｌでのクロスキャリアスケジューリングのためにＰＤＣＣＨを検出しようとする。ＵＥは、ＤＬサブフレーム＃３  ４１１及びＤＬサブフレーム＃４  ４１２等のＴＤＤフレキシブルＤＬサブフレームでのクロスキャリアスケジュールされたＤＬ送信のために、ＦＤＤ  ＰＣｅｌｌでのＰＤＣＣＨを検出する場合、ＴＤＤ  ＳＣｅｌｌでの割り当てられたＰＤＳＣＨ送信を復号化し、ＦＤＤシステムのタイミングに従って関連するＨＡＲＱ−ＡＣＫをフィードバックしようとする。具体的には、ＤＬサブフレーム＃３  ４１１及びＤＬサブフレーム＃４  ４１２におけるＴＤＤ  ＳＣｅｌｌでのＰＤＳＣＨ送信のＨＡＲＱ−ＡＣＫは、ＦＤＤ  ＰＣｅｌｌ  ＵＬサブフレーム＃７  ４２２及びＵＬサブフレーム＃８  ４２０のそれぞれでフィードバックされるものとする。
【００９８】
この点に関して、本明細書では、ＴＤＤ  ＳＣｅｌｌのフレキシブルサブフレームをＤＬフレームとして使用するか否かを、ＴＤＤ  ＳＣｅｌｌでのＰＤＳＣＨ送信のクロスキャリアスケジューリングのためのＦＤＤ  ＰＣｅｌｌでのＰＤＣＣＨの検出に基づいて決定することができることが提案される。
【００９９】
同様に、ＴＤＤ  ＳＣｅｌｌのＵＬグラントタイミングも、ＦＤＤシステムの仕様に従い、換言すれば、ＵＬグラントと関連するＰＵＳＣＨ送信との間の遅延は常に４ｍｓである。図４を一例として再び参照すると、ＵＬサブフレーム＃８  ４１６におけるＴＤＤ  ＳＣｅｌｌでの送信にスケジュールされたＰＵＳＣＨは、ＤＬサブフレーム＃４  ４１２におけるＦＤＤ  ＰＣｅｌｌで送信されるＵＬグラントによってトリガーされる。その結果、ＵＥは、ＴＤＤ  ＳＣｅｌｌでのクロスキャリアスケジュールされたＰＵＳＣＨ送信のために、ＤＬサブフレーム＃４におけるＦＤＤ  ＰＣｅｌｌでのＵＬグラントを検出する場合、ＵＥは、ＤＬサブフレーム＃４  ４１１においてＦＤＤ  ＰＣｅｌｌで送信されるＵＬグラントを検出するとき、フレキシブルサブフレーム＃８  ４１６がフレキシブルＴＤＤ  ＳＣｅｌｌのＵＬサブフレームとして使用されていることに気付くものとする。
【０１００】
本明細書では、フレキシブルサブフレームがＵＬサブフレームとして使用されるか否かを、ＴＤＤサービングセルでのＰＵＳＣＨ送信のクロスキャリアスケジューリングのために、ＦＤＤサービングセルでのＰＤＣＣＨの検出に基づいて決定することができることが提案される。
【０１０１】
上記考察から、ＴＤＤサービングセルでのクロスキャリアスケジュールされたＰＤＳＣＨのＨＡＲＱ−ＡＣＫフィードバックが、実際の高速ＴＤＤ構成に関連しないことが分かる。フレキシブルサブフレームがＤＬサブフレームとして使用されるか否かは、ＴＤＤサービングセルでのＰＤＳＣＨ送信のクロスキャリアスケジューリングのためのＦＤＤサービングセルでのＰＤＣＣＨの検出によって決定される。
【０１０２】
第３の配置シナリオ（想起されたい）に関連付けられた上記考察によれば、ＦＤＤ基地局２１０で実施し得る手順は、一緒になってシステム間ＦＤＤ−ＴＤＤ  ＣＡをサポートするシステムを形成するＴＤＤ基地局２３０及びシステム間ＦＤＤ−ＴＤＤ  ＣＡ可能ＵＥ２５０は、以下であり得る。
【０１０３】
まず、ＦＤＤマクロ基地局２１０を検出し、ＦＤＤキャリア２７０で上記マクロ基地局を通して高度モバイルネットワークとＲＲＣ接続を確立するＦＤＤ−ＴＤＤシステム間ＣＡ可能ＵＥ２５０の場合、ＲＲＣ接続モードである間、上記ＵＥ２５０は、高度モバイルネットワークにより、上記マクロ基地局２１０を通して専用ＲＲＣシグナリングを使用して、ＴＤＤピコ基地局２３０によってそれぞれサービングされる１つ又は複数のフレキシブルＴＤＤ小規模セルを測定し、集約フレキシブルＴＤＤ  ＳＣｅｌｌとして追加するように構成し得る。クロスキャリアスケジューリングは、集約ＴＤＤ  ＳＣｅｌｌキャリア２８０でデータ送信／受信を行うように構成する。
【０１０４】
クロスキャリアスケジューリングがイネーブルされている場合、ＰＣｅｌｌ  ＦＤＤ基地局２１０のＤＬスケジューリングモジュール２１８は、バックホール２２９を介してＦＤＤ  ＰＣｅｌｌキャリア２７０及びＴＤＤ  ＳＣｅｌｌキャリア２８０の両方でのＤＬデータ送信をスケジュールするものとする。ＵＥは、ＦＤＤ  ＰＣｅｌｌ  ＤＬキャリア２７０及びＴＤＤ  ＳＣｅｌｌ  ＤＬキャリア２８０でのデータ受信に応答して、ＦＤＤタイミング及びＦＤＤフィードバック規則に従って、ＦＤＤ  ＰＣｅｌｌ基地局にＨＡＲＱ−ＡＣＫをフィードバックすることが予期される。ＰＣｅｌｌ  ＦＤＤ基地局２１０のＤＬスケジューリングモジュール２１８は、ＦＤＤ  ＤＣＩフォーマット（すなわち、３ビットＨＡＲＱ番号フィールドを有し、ＤＡＩフィールドを有さないＤＣＩ）を使用して、ＦＤＤ  ＰＣｅｌｌ  ＤＬキャリア２７０及びＴＤＤ  ＳＣｅｌｌ  ＤＬキャリア２８０でのＤＬデータ送信を上記ＵＥに通知するように、ＤＣＩ処理モジュール２２０を構成するものとする。
【０１０５】
さらに、クロスキャリアスケジューリングがイネーブルされている場合、ＰＣｅｌｌ  ＦＤＤ基地局２１０のＵＬスケジューリングモジュール２１７は、ＦＤＤ  ＰＣｅｌｌ及びＴＤＤ  ＳＣｅｌｌの両方でのＵＥからのＵＬデータ送信をスケジュールし、ＦＤＤ  ＵＬスケジューリングタイミング規則を使用してＦＤＤ  ＰＣｅｌｌ送信及びＴＤＤ  ＳＣｅｌｌ送信のＵＬグラントを送信するように、ＤＣＩ処理モジュール２２０を構成するものとする。制限された観測時間内でＴＤＤ基地局２３０（ＳＣｅｌｌ）での瞬間トラフィックを観測することにより、高度モバイルネットワークは、無線フレームベースと同程度頻繁に、選択される最適ＴＤＤ  ＵＬ−ＤＬ構成を変更するように、ＴＤＤ基地局２３０を構成し得る。基地局２１０（ＰＣｅｌｌ）は、明示的又は暗黙的な高速シグナリングを適用して、ＴＤＤ  ＳＣｅｌｌでのＵＬ−ＤＬ構成の変更を高度ＵＥ２５０に通知し得る。クロスキャリアスケジューリングの場合、暗黙的な高速シグナリングを使用することが好ましい。この場合、ＳＣｅｌｌでのフレキシブルサブフレームがＤＬサブフレームとして動作すべきであると判断されると、基地局２１０は、ＤＬデータがＳＣｅｌｌ基地局２３０から送信されるＳＣｅｌｌフレキシブルサブフレームに対応するＰＣｅｌｌ  ＤＬサブフレームでＤＬスケジューリング情報を送信する。さらに、ＳＣｅｌｌでのフレキシブルサブフレームがＵＬサブフレームとして動作すべきであると判断されると、基地局２１０は、ＵＥ２５０がＴＤＤ  ＳＣｅｌｌ２８０でＵＬデータを送信することが予期されるＳＣｅｌｌフレキシブルサブフレームに対応するＰＣｅｌｌ  ＤＬサブフレームでＵＬグラントを送信する。
【０１０６】
クロスキャリアスケジューリングがイネーブルされており、ＵＥが、ＦＤＤ  ＰＣｅｌｌと、１つ又は複数のフレキシブルＴＤＤ  ＳＣｅｌｌとを有するＦＤＤ−ＴＤＤシステム間ＣＡを実行するように構成される場合、ＤＣＩ処理モジュール２６０においてＤＣＩを処理するに当たり、ＵＥ２５０は、ＦＤＤ  ＰＣｅｌｌで受信されたものと同サイズのＤＣＩ（すなわち、スケジューリングＤＬ送信ＤＣＩの場合、３ビットＨＡＲＱプロセス番号フィールドがあり、ＤＡＩビットフィールドがない）が、ＰＣｅｌｌ及びＳＣｅｌｌの両方のＤＬスケジューリング及びＵＬスケジューリングを提供すると仮定する。ＳＣｅｌｌのＤＬスケジューリングを受信すると、ＵＥ２５０は、ＦＤＤ  ＰＣｅｌｌへのＨＡＲＱ−ＡＣＫのフィードバックにＦＤＤタイミング規則を適用する。ＴＤＤ  ＳＣｅｌｌ  ＵＬキャリアでのＵＬデータ送信のＵＬグラントを受信すると、ＵＥ２５０は、ＴＤＤ  ＳＣｅｌｌへのＰＵＳＣＨの送信にＦＤＤタイミング規則を適用する。ＳＣｅｌｌ  ＵＬ−ＤＬ構成は、無線フレームベースでＴＤＤ基地局によって変更し得るため、ＵＥ２５０は、ＳＣｅｌｌでのＤＬ送信スケジューリング及びＵＬグラントを探して、ＰＣｅｌｌでの検索空間を監視する。ＳＣｅｌｌフレキシブルサブフレームに対応するＰＣｅｌｌ  ＤＬサブフレームにおいて、ＵＥ２５０は、ＳＣｅｌｌのＤＬ送信スケジューリングを検出する場合、ＰＤＳＣＨ／ＤＬ−ＳＣＨの処理を上記ＳＣｅｌｌフレキシブルサブフレームに対して実行する。同様に、ＰＣｅｌｌ  ＤＬサブフレームにおいて、ＵＥ２５０は、ＳＣｅｌｌのＵＬグラントを検出する場合、ＰＵＳＣＨ／ＵＬ−ＳＣＨを処理し、ＵＬグラントが受信されたＰＣｅｌｌ  ＤＬサブフレームに対応するＳＣｅｌｌフレキシブルサブフレームで送信する。
【０１０７】
クロスキャリアスケジューリングがディセーブルされている場合、ＰＣｅｌｌ  ＦＤＤ基地局２１０のＤＬスケジューリングモジュール２１８は、ＦＤＤ  ＰＣｅｌｌキャリア２７０のみでＤＬデータ送信をスケジュールするものとし、ＳＣｅｌｌ  ＴＤＤ基地局２３０のＤＬスケジューリングモジュール２３８は、ＴＤＤ  ＳＣｅｌｌキャリア２８０のみでのＤＬデータ送信をスケジュールするものとする。ＵＥは、ＦＤＤ  ＰＣｅｌｌ  ＤＬキャリア２７０でのデータ受信に応答して、ＦＤＤタイミング及びフィードバック規則に従って、ＦＤＤ  ＰＣｅｌｌ基地局にＨＡＲＱ−ＡＣＫをフィードバックし、ＴＤＤ  ＳＣｅｌｌ  ＤＬキャリア２８０でのデータ受信に応答して、ＴＤＤタイミング及びフィードバック規則に従って、ＴＤＤ  ＳＣｅｌｌ基地局にＨＡＲＱ−ＡＣＫをフィードバックすることが予期される。ＰＵＣＣＨにおいてＳＣｅｌｌのＨＡＲＱ−ＡＣＫを受信すると、ＦＤＤ  ＰＣｅｌｌ基地局２１０は、バックホール２２９を介して、受信したＳＣｅｌｌ  ＨＡＲＱ−ＡＣＫをＳＣｅｌｌに転送するものとする。ＰＣｅｌｌ  ＦＤＤデータ基地局２１０のＤＬスケジューリングモジュール２１８は、ＦＤＤ  ＤＣＩフォーマットを使用して、ＦＤＤ  ＰＣｅｌｌ  ＤＬキャリア２７０のＤＬデータ送信を上記ＵＥに通知するように、ＤＣＩ処理モジュール２２０を構成するものとし、ＳＣｅｌｌ  ＴＤＤ基地局２３０のＤＬスケジューリングモジュール２３８は、ＴＤＤ  ＤＣＩフォーマット（すなわち、４ビットＨＡＲＱ番号フィールド及び２ビットＤＡＩフィールドを有するＴＤＤ  ＤＣＩ）を使用して、ＴＤＤ  ＳＣｅｌｌ  ＤＬキャリア２８０でのＤＬデータ送信を上記ＵＥに通知するように、ＤＣＩ処理モジュール２４０を構成するものとする。
【０１０８】
さらに、クロスキャリアスケジューリングがディセーブルされている場合、ＰＣｅｌｌ  ＦＤＤ基地局２１０のＵＬスケジューリングモジュール２１７は、ＦＤＤ  ＰＣｅｌｌでのＵＥからのＵＬデータ送信をスケジュールし、ＦＤＤ  ＵＬスケジューリングタイミング規則を使用して、ＦＤＤ  ＰＣｅｌｌ送信のＵＬグラントを送信するように、ＤＣＩ処理モジュール２２０を構成するものとする。ＳＣｅｌｌ  ＴＤＤ基地局２３０のＵＬスケジューリングモジュール２３７は、ＴＤＤ  ＳＣｅｌｌでのＵＥからのＵＬデータ送信をスケジュールし、ＴＤＤ  ＵＬスケジューリングタイミング規則を使用してＴＤＤ  ＳＣｅｌｌ送信のＵＬグラントを送信するように、ＤＣＩ処理モジュール２４０を構成するものとする。制限された観測時間内のＴＤＤ基地局２３０（ＳＣｅｌｌ）内の瞬間トラフィックを観測することにより、高度モバイルネットワークは、無線フレームベースと同程度に少なく、選択された最適ＴＤＤ  ＵＬ−ＤＬ構成に変更するように、ＴＤＤ基地局２３０を構成し得る。基地局２１０（ＰＣｅｌｌ）は、ＰＣｅｌｌ共通検索空間で送信するＤＣＩとして明示的高速シグナリングを適用して、ＴＤＤ  ＳＣｅｌｌでのＵＬ−ＤＬ構成の変更を高度ＵＥ２５０に通知し得る。
【０１０９】
クロスキャリアスケジューリングがディセーブルされており、ＵＥ２５０が、ＦＤＤ  ＰＣｅｌｌと、１つ又は複数のフレキシブルＴＤＤ  ＳＣｅｌｌとを用いるＦＤＤ−ＴＤＤシステム間ＣＡを実行するように構成される場合、ＤＣＩ処理モジュール２６０においてＳＣｅｌｌで受信されるＤＣＩを処理するに当たり、ＵＥ２５０は、受信したＴＤＤ  ＤＣＩ（すなわち、スケジューリングＤＬ送信ＤＣＩの場合、４ビットＨＡＲＱプロセス番号フィールド及び２ビットＤＡＩフィールド）が、ＳＣｅｌｌのＤＬスケジューリング及びＵＬスケジューリングを提供すると仮定する。ＳＣｅｌｌのＤＬスケジューリングを受信すると、ＵＥ２５０は、ＴＤＤ  ＰＣｅｌｌへのＰＵＳＣＨのＨＡＲＱ−ＡＣＫのフィードバックにＴＤＤタイミング規則を適用する。ＴＤＤ  ＳＣｅｌｌ  ＵＬキャリアでのＵＬデータ送信のＵＬグラントを受信すると、ＵＥ２５０は、ＴＤＤ  ＳＣｅｌｌへのＰＵＳＣＨの送信にＴＤＤタイミング規則を適用する。さらに、ＵＥ２５０は、そのフレキシブルＴＤＤ  ＳＣｅｌｌでのＵＬ−ＤＬ構成変更を示す明示的な高速シグナリングのために、ＰＣｅｌｌ共通検索空間を監視する。
【０１１０】
以下は、上述した本発明の重要な提案及び態様の一部をまとめたものである。
【０１１１】
ＦＤＤサービングセルがＰＣｅｌｌとして構成され、ＴＤＤサービングセルがＳＣｅｌｌとして構成される場合、
−ＴＤＤ  ＳＣｅｌｌがＳＣｅｌｌとして構成されたＦＤＤ  ＰＣｅｌｌで送信されるＰＤＣＣＨ／ｅＰＤＣＣＨによってクロススケジュールされるとき、ＬＴＥ  ＦＤＤ−ＴＤＤ  ＣＡシステムでは、ＴＤＤ動作でのＤＣＩフォーマット内のＨＡＲＱプロセス番号に追加の１ビット及び２ビットＤＡＩが落とされる。これにより、ＴＤＤ及びＦＤＤの両方のＤＣＩフォーマット内容が同じになり、従って、Ｒｅｌ．１０又は１１のＣＡと同数のブラインド復号化試行になる。
−ＦＤＤ  ＰＣｅｌｌのＨＡＲＱ−ＡＣＫタイミングは、クロスキャリアスケジュールされるＴＤＤ  ＳＣｅｌｌの参照タイミングとして設計される。
−ＦＤＤサービングセルのＵＬグラントタイミングは、クロスキャリアスケジュールされるＴＤＤサービングセルの参照タイミングとして設計される。
−フレキシブルサブフレームの送信方向は、ＰＣｅｌｌでのＤＬ及び／又はＵＬ送信のクロスキャリアスケジューリングの場合にはＦＤＤサービングセルでのＰＤＣＣＨ送信から推測されるか、又は高速ＴＤＤ構成シグナリングによって示される。
【０１１２】
ＴＤＤサービングセルがＰＣｅｌｌとして構成され、ＦＤＤサービングセルがＳＣｅｌｌとして構成される場合、
−ＰＤＣＣＨが、ＦＤＤサービングセルで送信されるか、それともＴＤＤサービングセルで送信されるかに関係なく、ＨＡＲＱプロセス番号に追加の１ビット及び２ビットＤＡＩをＦＤＤサービングセルのＵＥ固有ＤＣＩフォーマットに含めるべきである。
−自己スケジューリングの場合、ＴＤＤサービングセルに対応するＵＬサブフレームを有するＦＤＤサービングセルでのＤＬサブフレームは、ＴＤＤサービングセルでのＤＬサブフレームに対応するＤＬサブフレームでの入力ＤＬ送信と共にフィードバックされるべきである。
−ＤＬ送信のＨＡＲＱタイミングは、ＴＤＤシステムのタイミングに従うべきである。クロスキャリアスケジューリングが構成されてない場合、ＵＬ送信のＨＡＲＱタイミング及びＦＤＤサービングセルのＵＬグラントタイミングは、ＦＤＤシステムのタイミングに従うべきである。その他の場合、ＴＤＤシステムのタイミングに従う。
【０１１３】
本明細書及び特許請求の範囲（もしあれば）では、「含んでいる（ｃｏｍｐｒｉｓｉｎｇ）」という言葉並びに「含む（ｃｏｍｐｒｉｓｅｓ）」及び「包含する（ｃｏｍｐｒｉｓｅ）」は、述べられている個々の整数のそれぞれを含むが、１つ又は複数のさらなる個々の整数の包含を除外しない。
【０１１４】
本明細書全体を通しての「一実施形態」又は「実施形態」の言及は、その実施形態に関連して記載される特定の特徴、構造、又は特性が、本発明の少なくとも１つの実施形態に含まれることを意味する。従って、本明細書全体を通して様々な箇所での「一実施形態では」又は「実施形態では」という語句の出現は、必ずしも全てが同じ実施形態を参照しているわけではない。さらに、特定の特徴、構造、又は特性は、１つ又は複数の組み合わせで任意の適する様式で組み合わせ得る。
【０１１５】
法により、本発明は、構造的特徴又は方法的特徴に多少なりとも固有の言葉で説明された。本明細書に記載される手段が、本発明を実施する好ましい形態を含むため、本発明が示されるか、又は説明される特定の特徴に限定されないことを理解されたい。従って、本発明は、当業者によって適宜解釈される添付の特許請求の範囲（もしあれば）の適正な範囲内の任意のその形態又は変更で特許請求される。
【０１１６】
上記で開示される例示的な実施形態の全体又は部分は、以下の補足備考として説明することができるが、それらに限定されない。
【０１１７】
付記１
周波数分割二重化（ＦＤＤ）−時分割二重化（ＴＤＤ）キャリアアグリゲーション（ＣＡ）をサポートする高度無線通信ネットワークで使用されるシグナリング方法であって、システムは、
ＦＤＤ−ＴＤＤ  ＣＡをサポートするユーザ機器（ＵＥ）と、
第１の二重化モードキャリアでＵＥと通信するように動作する第１のアクセスノードであって、第１の二重化モードはＦＤＤ又はＴＤＤのうちの一方である、第１のアクセスノードと、
第２の二重化モードキャリアでＵＥと通信するように動作する第２のアクセスノードであって、第２の二重化モードは、第１の二重化モードとは逆のＦＤＤ又はＴＤＤのうちの他方である、第２のアクセスノードと、
を含み、上記方法は、
第１のアクセスノードを通してネットワークと無線リソース制御（ＲＲＣ）接続を確立することにより、プライマリコンポーネントキャリア（ＰＣｅｌｌ）として第１の二重化モードキャリアで第１のアクセスノードを通してＵＥとネットワークとの間でデータ送信するようにＵＥを構成することと、
ＰＣｅｌｌでの専用ＲＲＣシグナリングを介して、セカンダリコンポーネントキャリア（ＳＣｅｌｌ）として第２の二重化モードキャリアで第２のアクセスノードを通してＵＥとネットワークとの間でデータ送信するようにＵＥを構成することと、
自己スケジューリング又はクロスキャリアスケジューリングのいずれかを使用して、集約ＳＣｅｌｌでのデータ送信のスケジューリングを実行することと、
を含む、シグナリング方法。
【０１１８】
付記２
第１の二重化モードはＦＤＤであり、第２の二重化モードはＴＤＤであり、それにより、ＰＣｅｌｌはＦＤＤであり、ＳＣｅｌｌはＴＤＤである、付記１に記載のシグナリング方法。
【０１１９】
付記３
クロスキャリアスケジューリングは、集約ＳＣｅｌｌでのデータ送信のスケジューリングに使用される、付記２に記載のシグナリング方法。
【０１２０】
付記４
第１のアクセスノードは、ネットワークバックホールを介して、ＦＤＤ  ＰＣｅｌｌ及びＴＤＤ  ＳＣｅｌｌの両方での下りリンクデータ送信をスケジュールする、付記３に記載のシグナリング方法。
【０１２１】
付記５
ＵＥは、ＦＤＤ  ＰＣｅｌｌ下りリンクキャリア及びＴＤＤ  ＳＣｅｌｌ下りリンクキャリアでのデータ受信に応答して、ＦＤＤタイミング及びフィードバック規則に従って、第１のアクセスノードにハイブリッド自動再送要求肯定応答（ＨＡＲＱ−ＡＣＫ）をフィードバックする、付記４に記載のシグナリング方法。
【０１２２】
付記６
第１のアクセスノードは、ＦＤＤ下りリンク制御情報（ＤＣＩ）フォーマットを使用して、ＦＤＤ  ＰＣｅｌｌ下りリンクキャリア及びＴＤＤ  ＳＣｅｌｌ下りリンクキャリアでの下りリンクデータ送信をＵＥに通知する、付記４に記載のシグナリング方法。
【０１２３】
付記７
ＤＣＩフォーマットは、３ビットＨＡＲＱ番号フィールドを含み、下りリンク割り当てインデックス（ＤＡＩ）フィールドを含まない、付記６に記載のシグナリング方法。
【０１２４】
付記８
第１のアクセスノードは、ＦＤＤ上りリンクスケジューリングタイミング規則を使用して、ＦＤＤ  ＰＣｅｌｌ及びＴＤＤ  ＳＣｅｌｌの両方でのＵＥからの上りリンクデータ送信をスケジュールする、付記４に記載のシグナリング方法。
【０１２５】
付記９
ＤＣＩの処理に当たり、ＵＥは、ＦＤＤ  ＰＣｅｌｌで受信したものと同サイズのＤＣＩが、ＰＣｅｌｌ及びＳＣｅｌｌの両方の下りリンクスケジューリング及び上りリンクスケジューリングを提供すると仮定する、付記６に記載のシグナリング方法。
【０１２６】
付記１０
ＳＣｅｌｌの下りリンクスケジューリングを受信すると、ＵＥは、ＦＤＤ  ＰＣｅｌｌへのＨＡＲＱ−ＡＣＫのフィードバックにＦＤＤタイミング規則を適用する、付記９に記載のシグナリング方法。
【０１２７】
付記１１
ＴＤＤ  ＳＣｅｌｌ上りリンクキャリアでの上りリンクデータ送信の上りリンクグラントを受信すると、ＵＥは、ＴＤＤ  ＳＣｅｌｌへの物理上りリンク共用チャネル（ＰＵＳＣＨ）の送信にＦＤＤタイミング規則を適用する、付記１０に記載のシグナリング方法。
【０１２８】
付記１２
自己スケジューリングが、集約ＳＣｅｌｌでのデータ送信スケジューリングに使用される、付記２に記載のシグナリング方法。
【０１２９】
付記１３
第１のアクセスノードは、ＦＤＤ  ＰＣｅｌｌのみでの下りリンクデータ送信をスケジュールし、第２のアクセスノードは、ＴＤＤ  ＳＣｅｌｌのみでの下りリンクデータ送信をスケジュールする、付記１２に記載のシグナリング方法。
【０１３０】
付記１４
ＵＥは、ＦＤＤ  ＰＣｅｌｌ下りリンクキャリアでのデータ受信に応答して、ＦＤＤタイミング及びフィードバック規則に従って、第１のアクセスノードにＨＡＲＱ−ＡＣＫをフィードバックし、ＴＤＤ  ＳＣｅｌｌ下りリンクキャリアでのデータ受信に応答して、ＴＤＤタイミング及びフィードバック規則に従って、第２のアクセスノードにＨＡＲＱ−ＡＣＫをフィードバックする、付記１３に記載のシグナリング方法。
【０１３１】
付記１５
ＰＵＣＣＨでＳＣｅｌｌのＨＡＲＱ−ＡＣＫを受信すると、第１のアクセスノードは、バックホールを介して、受信したＳＣｅｌｌ  ＨＡＲＱ−ＡＣＫを第２のアクセスノードに転送する、付記１４に記載のシグナリング方法。
【０１３２】
付記１６
第１のアクセスノードは、ＦＤＤ  ＤＣＩフォーマットを使用して、ＦＤＤ  ＰＣｅｌｌ下りリンクキャリアでの下りリンクデータ送信をＵＥに通知し、第２のアクセスノードは、ＴＤＤ  ＤＣＩフォーマットを使用して、ＴＤＤ  ＳＣｅｌｌ下りリンクキャリアでの下りリンクデータ送信をＵＥに通知する、付記１３に記載のシグナリング方法。
【０１３３】
付記１７
第１のアクセスノードは、ＦＤＤ  ＰＣｅｌｌでのＵＥからの上りリンクデータ送信をスケジュールし、ＦＤＤ上りリンクスケジューリングタイミング規則を使用して、ＦＤＤ  ＰＣｅｌｌ送信の上りリンクグラントを送信する、付記１３に記載のシグナリング方法。
【０１３４】
付記１８
第２のアクセスノードは、ＴＤＤ  ＳＣｅｌｌでのＵＥからの上りリンクデータ送信をスケジュールし、ＴＤＤ上りリンクスケジューリングタイミング規則を使用して、ＴＤＤ  ＳＣｅｌｌ送信の上りリンクグラントを送信する、付記１７に記載のシグナリング方法。
【０１３５】
付記１９
第１の二重化モードはＴＤＤであり、第２の二重化モードはＦＤＤであり、それにより、ＰＣｅｌｌはＴＤＤであり、ＳＣｅｌｌはＴＤＤである、付記１に記載のシグナリング方法。
【０１３６】
付記２０
クロスキャリアスケジューリングが、ＳＣｅｌｌのスケジューリングに使用される、付記１９に記載のシグナリング方法。
【０１３７】
付記２１
クロスサブフレームクロスキャリアスケジューリング又はマルチサブフレームクロスキャリアスケジューリングが採用される、付記２０に記載のシグナリング方法。
【０１３８】
付記２２
第１のアクセスノードは、ネットワークバックホールを介して、ＴＤＤ  ＰＣｅｌｌ及びＦＤＤ  ＳＣｅｌｌの両方での下りリンクデータ送信をスケジュールする、付記２０に記載のシグナリング方法。
【０１３９】
付記２３
ＵＥは、ＴＤＤ  ＰＣｅｌｌ下りリンクキャリア及びＦＤＤ  ＳＣｅｌｌ下りリンクキャリアでのデータ受信に応答して、ＴＤＤタイミング及びフィードバック規則に従って、第１のアクセスノードにＨＡＲＱ−ＡＣＫをフィードバックする、付記２２に記載のシグナリング方法。
【０１４０】
付記２４
第１のアクセスノードは、ＴＤＤ  ＤＣＩフォーマットを使用して、ＴＤＤ  ＰＣｅｌｌ下りリンクキャリア及びＦＤＤ  ＳＣｅｌｌ下りリンクキャリアでの下りリンクデータ送信をＵＥに通知する、付記２３に記載のシグナリング方法。
【０１４１】
付記２５
ＤＣＩフォーマットは、４ビットＨＡＲＱ番号フィールド及び２ビットＤＡＩフィールドを含む、付記２４に記載のシグナリング方法。
【０１４２】
付記２６
第１のアクセスノードは、ＴＤＤ  ＰＣｅｌｌ及びＦＤＤ  ＳＣｅｌｌの両方でＵＥからの上りリンクデータ送信をスケジュールし、ＴＤＤ上りリンクスケジューリングタイミング規則を使用して、ＴＤＤ  ＰＣｅｌｌ送信及びＦＤＤ  ＳＣｅｌｌ送信の上りリンクグラントを送信する、付記２３に記載のシグナリング方法。
【０１４３】
付記２７
ＤＣＩの処理に当たり、ＵＥは、ＴＤＤ  ＰＣｅｌｌで受信されるものと同サイズのＴＤＤ  ＤＣＩが、ＰＣｅｌｌ及びＳＣｅｌｌの両方の下りリンクスケジューリング及び上りリンクスケジューリングを提供すると仮定する、付記２４に記載のシグナリング方法。
【０１４４】
付記２８
ＳＣｅｌｌの下りリンクスケジューリング及び下りリンクデータを受信すると、ＵＥは、ＴＤＤタイミング規則を、ＴＤＤ  ＰＣｅｌｌへのＨＡＲＱ−ＡＣＫのフィードバックに適用する、付記２７に記載のシグナリング方法。
【０１４５】
付記２９
ＦＤＤ  ＳＣｅｌｌ上りリンクキャリアでの上りリンクデータ送信の上りリンクグラントを受信すると、ＵＥは、ＦＤＤ  ＳＣｅｌｌへのＰＵＳＣＨの送信にＴＤＤタイミング規則を適用する、付記２８に記載のシグナリング方法。
【０１４６】
付記３０
自己スケジューリングがＳＣｅｌｌのスケジューリングに使用される、付記１９に記載のシグナリング方法。
【０１４７】
付記３１
第１のアクセスノードは、ＴＤＤ  ＰＣｅｌｌのみでの下りリンクデータ送信をスケジュールし、第２のアクセスノードは、ＦＤＤ  ＳＣｅｌｌのみでの下りリンクデータ送信をスケジュールする、付記３０に記載のシグナリング方法。
【０１４８】
付記３２
ＵＥは、ＴＤＤ  ＰＣｅｌｌ下りリンクキャリアでのデータ受信に応答して、ＴＤＤタイミング及びフィードバック規則に従って、第１のアクセスノードにＨＡＲＱ−ＡＣＫをフィードバックし、ＦＤＤ  ＳＣｅｌｌ下りリンクキャリアでのデータ受信に応答して、ＰＣｅｌｌのＴＤＤタイミング及びフィードバック規則に従って、第２のアクセスノードにＨＡＲＱ−ＡＣＫをフィードバックする、付記３１に記載のシグナリング方法。
【０１４９】
付記３３
ＵＥは、ＴＤＤ  ＰＣｅｌｌでの下りリンクサブフレームに対応する下りリンクサブフレームでの入力下りリンク送信と共に、ＴＤＤ  ＰＣｅｌｌに対応する上りリンクサブフレームを有するＦＤＤ  ＳＣｅｌｌでの下りリンクサブフレームでスケジュールされたデータのＨＡＲＱ−ＡＣＫをフィードバックする、付記３２に記載のシグナリング方法。
【０１５０】
付記３４
ＰＵＣＣＨにおいてＳＣｅｌｌのＨＡＲＱ−ＡＣＫを受信すると、第１のアクセスノードは、バックホールを介して、受信したＳＣｅｌｌ  ＨＡＲＱ−ＡＣＫをＦＤＤ  ＳＣｅｌｌに転送する、付記３３に記載のシグナリング方法。
【０１５１】
付記３５
第１のアクセスノードは、ＴＤＤ  ＤＣＩフォーマットを使用して、ＴＤＤ  ＰＣｅｌｌ下りリンクキャリアでの下りリンクデータ送信をＵＥに通知し、第２のアクセスノードは、ＴＤＤ  ＤＣＩフォーマットを使用して、ＦＤＤ  ＳＣｅｌｌ下りリンクキャリアでの下りリンクデータ送信をＵＥに通知する、付記３１に記載のシグナリング方法。
【０１５２】
付記３６
第１のアクセスノードは、ＴＤＤ  ＰＣｅｌｌでのＵＥからの上りリンクデータ送信をスケジュールし、ＴＤＤ上りリンクスケジューリングタイミング規則を使用して、ＴＤＤ  ＰＣｅｌｌ送信の上りリンクグラントを送信する、付記３５に記載のシグナリング方法。
【０１５３】
付記３７
第２のアクセスノードは、ＦＤＤ  ＳＣｅｌｌでのＵＥからの上りリンクデータ送信をスケジュールし、ＦＤＤ上りリンクスケジューリングタイミング規則及びＦＤＤ  ＨＡＲＱ−ＡＣＫ規則を使用して、ＦＤＤ  ＳＣｅｌｌ送信の上りリンクグラントを送信する、付記３６に記載のシグナリング方法。
【０１５４】
付記３８
ＦＤＤ  ＳＣｅｌｌ下りリンクキャリアで受信されるＤＣＩの処理に当たり、ＵＥは、受信されたＴＤＤ  ＤＣＩが、ＳＣｅｌｌの下りリンクスケジューリング及び上りリンクスケジューリングを提供すると仮定する、付記３７に記載のシグナリング方法。
【０１５５】
付記３９
ＳＣｅｌｌの下りリンクスケジューリング及び送信データを受信すると、ＵＥは、ＦＤＤ  ＳＣｅｌｌへのＨＡＲＱ−ＡＣＫのフィードバックにＴＤＤタイミング規則を適用する、付記３８に記載のシグナリング方法。
【０１５６】
付記４０
ＴＤＤ  ＰＣｅｌｌに対応する上りリンクサブフレームを有するＦＤＤ  ＳＣｅｌｌサブフレームの下りリンクスケジューリング及び送信データを受信すると、ＵＥは、ＴＤＤ  ＰＣｅｌｌでの下りリンクサブフレームに対応する下りリンクサブフレームでの入力下りリンク送信と共に、それらの下りリンクサブフレームでスケジュールされたデータのＨＡＲＱ−ＡＣＫをフィードバックする、付記３９に記載のシグナリング方法。
【０１５７】
付記４１
ＦＤＤ  ＳＣｅｌｌ上りリンクキャリアでの上りリンクデータ送信の上りリンクグラントを受信すると、ＵＥは、ＦＤＤ  ＳＣｅｌｌへのＰＵＳＣＨの送信にＦＤＤタイミング規則を適用する、付記４０に記載のシグナリング方法。
【０１５８】
付記４２
フレキシブルＴＤＤキャリアがＳＣｅｌｌであり、所定の観測時間内で第２のアクセスノード内の瞬間トラフィックを観測することにより、ネットワークは、ＴＤＤ  ＳＣｅｌｌでのＴＤＤ上りリンク−下りリンク構成を変更するように、第２のアクセスノードを構成することができる、付記８に記載のシグナリング方法。
【０１５９】
付記４３
暗黙的な高速シグナリングが使用される、付記４２に記載のシグナリング方法。
【０１６０】
付記４４
ＳＣｅｌｌでのフレキシブルサブフレームが下りリンクサブフレームとして動作すべきであると判断されると、第１のアクセスノードは、下りリンクデータが第２のアクセスノードから送信されるＳＣｅｌｌフレキシブルサブフレームに対応するＰＣｅｌｌ下りリンクサブフレームで下りリンクスケジューリング情報を送信する、付記４２に記載のシグナリング方法。
【０１６１】
付記４５
ＳＣｅｌｌでのフレキシブルサブフレームが、上りリンクサブフレームとして動作すべきであると判断されると、第１のアクセスノードは、ＵＥがＴＤＤ  ＳＣｅｌｌで上りリンクデータ送信するＳＣｅｌｌ入力フレキシブルサブフレームに対応するＰＣｅｌｌ下りリンクサブフレームで上りリンクグラントを送信する、付記４４に記載のシグナリング方法。
【０１６２】
付記４６
ＳＣｅｌｌ  ＴＤＤ上りリンク−下りリンク構成は、無線フレームベースで第２のアクセスノードによって変更することができ、ＵＥは、ＳＣｅｌｌの下りリンク送信スケジューリング及び上りリンクグラントを探して、ＰＣｅｌｌの検索空間を監視する、付記４２に記載のシグナリング方法。
【０１６３】
付記４７
ＳＣｅｌｌフレキシブルサブフレームに対応するＰＣｅｌｌ下りリンクサブフレームで、ＵＥは、ＳＣｅｌｌの下りリンク送信スケジューリングを検出する場合、上記ＳＣｅｌｌフレキシブルサブフレームでのＰＤＳＣＨ／ＤＬ−ＳＣＨの処理を実行する、付記４６に記載のシグナリング方法。
【０１６４】
付記４８
ＰＣｅｌｌ下りリンクサブフレームで、ＵＥは、ＳＣｅｌｌの上りリンクグラントを検出する場合、ＰＵＳＣＨ／ＵＬ−ＳＣＨを処理し、上りリンクグラントを受信したＰＣｅｌｌ下りリンクサブフレームに対応するＳＣｅｌｌフレキシブルサブフレームで送信する、付記４７に記載のシグナリング方法。
【０１６５】
付記４９
フレキシブルＴＤＤキャリアはＳＣｅｌｌである、付記１２に記載のシグナリング方法。
【０１６６】
付記５０
第１のアクセスノードは、ＦＤＤ  ＰＣｅｌｌのみでの下りリンクデータ送信をスケジュールし、第２のアクセスノードは、ＴＤＤ  ＳＣｅｌｌのみでの下りリンクデータ送信をスケジュールする、付記４９に記載のシグナリング方法。
【０１６７】
付記５１
ＵＥは、ＦＤＤ  ＰＣｅｌｌ下りリンクキャリアでのデータ受信に応答して、ＦＤＤタイミング及びフィードバック規則に従って、第１のアクセスノードにＨＡＲＱ−ＡＣＫをフィードバックし、ＵＥは、ＴＤＤ  ＳＣｅｌｌ下りリンクキャリアでのデータ受信に応答して、ＴＤＤタイミング及びフィードバック規則に従って、第２のアクセスノードにＨＡＲＱ−ＡＣＫをフィードバックする、付記５０に記載のシグナリング方法。
【０１６８】
付記５２
ＰＵＣＣＨにおいてＳＣｅｌｌのＨＡＲＱ−ＡＣＫを受信すると、第１のアクセスノードは、バックホールを介して、受信したＳＣｅｌｌ  ＨＡＲＱ−ＡＣＫをＳＣｅｌｌに転送する、付記５１に記載のシグナリング方法。
【０１６９】
付記５３
第１のアクセスノードは、ＦＤＤ  ＤＣＩフォーマットを使用して、ＦＤＤ  ＰＣｅｌｌキャリアでの下りリンクデータ送信をＵＥに通知し、第２のアクセスノードは、ＴＤＤ  ＤＣＩフォーマットを使用して、ＴＤＤ  ＳＣｅｌｌキャリアでの下りリンクデータ送信をＵＥに通知する、付記５０に記載のシグナリング方法。
【０１７０】
付記５４
第１のアクセスノードは、ＦＤＤ  ＰＣｅｌｌでのＵＥからの上りリンクデータ送信をスケジュールし、ＦＤＤ上りリンクスケジューリングタイミング規則を使用して、ＦＤＤ  ＰＣｅｌｌ送信の上りリンクグラントを送信する、付記５０に記載のシグナリング方法。
【０１７１】
付記５５
第２のアクセスノードは、ＴＤＤ  ＳＣｅｌｌでのＵＥからの上りリンクデータ送信をスケジュールし、ＴＤＤ上りリンクスケジューリングタイミング規則を使用して、ＴＤＤ  ＳＣｅｌｌ送信の上りリンクグラントを送信する、付記５４に記載のシグナリング方法。
【０１７２】
付記５６
所定の観測時間以内の第２のアクセスノード内の瞬間トラフィックを観測することにより、ネットワークは、ＴＤＤ  ＳＣｅｌｌでのＴＤＤ上りリンク−下りリンク構成を変更するように、第２のアクセスノードを構成することができる、付記５５に記載のシグナリング方法。
【０１７３】
付記５７
第１のアクセスノードは、ＰＣｅｌｌ共通検索空間（ＣＳＳ）での明示的な高速シグナリングを適用して、ＴＤＤ  ＳＣｅｌｌでのＵＬ−ＤＬ構成の変更をＵＥに通知する、付記５６に記載のシグナリング方法。
【０１７４】
付記５８
ＵＥは、ＰＣｅｌｌ  ＣＳＳを監視して、ＳＣｅｌｌでのＵＬ−ＤＬ構成更新を検出する、付記５７に記載のシグナリング方法。
【０１７５】
本願は、２０１３年９月１６日に出願された豪州特許出願第２０１３９０３５６１号明細書に基づき、それからの優先権の利益を主張するものであり、この豪州特許出願を参照により全体を本明細書に援用する。
【符号の説明】
【０１７６】
１００  高度無線通信システム
１０１  基地局
１０２  ピコ基地局
１０３  ピコ基地局
１０４  ＵＥ
１０５  ＵＥ
１０６  ＵＥ
１１０  基地局
１１１  第２の配置シナリオ
１１２  第３の配置シナリオ
１２０  モビリティ
１２１  モビリティ
１２２  モビリティ
１２３  モビリティ
２１０  基地局
２１１  プロセッサ
２１２  メモリ
２１３  ＦＤＤ無線周波数（ＲＦ）モジュール
２１４  アンテナアレイ
２１５  送信（ＴＸ）モジュール
２１６  受信（ＲＸ）モジュール
２１７  ＵＬスケジューリングモジュール
２１８  ＵＬスケジューリングモジュール
２２０  ＤＣＩ処理モジュール
２２１  ＰＤＣＣＨ／Ｅ−ＰＤＣＣＨ処理モジュール
２２２  ＰＤＳＣＨ／ＤＬ−ＳＣＨ処理モジュール
２２３  ＰＵＣＣＨ処理モジュール
２２４  ＰＵＳＣＨ処理モジュール
２２９  バックホールを介するＴＤＤサービングセル
２３０  基地局
２３１  プロセッサ
２３２  メモリ
２３３  無線周波数（ＲＦ）モジュール
２３４  アンテナアレイ
２３５  ＴＸモジュール
２３６  ＲＸモジュール
２３７  ＵＬスケジューリングモジュール
２３８  ＤＬスケジューリングモジュール
２３９  ＴＤＤ再構成モジュール
２４０  ＤＣＩ処理モジュール
２４１  ＰＤＣＣＨ／Ｅ−ＰＤＣＣＨ処理モジュール
２４２  ＰＤＳＣＨ／ＤＬ−ＳＣＨ処理モジュール
２４３  ＰＵＣＣＨ処理モジュール
２４４  ＰＵＳＣＨ処理モジュール
２５０  ＵＥ
２５１  プロセッサ
２５２  メモリ
２５３  ＦＤＤ無線周波数（ＲＦ）モジュール
２５４  アンテナ
２５５  ＴＤＤ無線周波数（ＲＦ）モジュール
２５６  アンテナ
２５７  ＲＸモジュール
２５８  ＴＸモジュール
２６０  ＤＣＩ処理モジュール
２６１  ＰＤＣＣＨ／Ｅ−ＰＤＣＣＨ処理モジュール
２６２  ＰＤＳＣＨ／ＤＬ−ＳＣＨ処理モジュール
２６３  ＰＵＣＣＨ処理モジュール
２６４  ＰＵＳＣＨ処理モジュール
２７０  ＦＤＤ  ＳＣｅｌｌ  ＤＬキャリア
３０１  事例Ａ
３０２  事例Ｂ
３１１ａ  ＤＬスケジューリング割り当て
３１２ａ  関連付けられたＰＤＳＣＨ送信
３１３ａ  ＰＣｅｌｌの代表
３１４ｂ  ＰＣｅｌｌの代表
３１５ａ  ＤＬスケジューリング割り当て
３１６ａ  割り当てＰＤＳＣＨ送信
３１７ａ  ＳＣｅｌｌの代表
３１８ａ  ＳＣｅｌｌの代表
３１１ｂ  ＰＤＣＣＨ
３１２ｂ  ＰＤＳＣＨ
３１５ｂ  ＰＤＣＣＨ
３１６ｂ  ＰＤＳＣＨ
４０１  ＰＣｅｌｌ  ＦＤＤ  ＤＬ
４０２  ＰＣｅｌｌ  ＦＤＤ  ＵＬ
４０３  ＳＣｅｌｌ  ＴＤＤ、構成＃５
４０４  ＤＬサブフレーム＃９
４０５  ＤＬサブフレーム＃７
４０６  ＵＬサブフレーム＃３
４０７  ＵＬサブフレーム＃１
４０８  サブフレーム＃９でのＵＥ
４０９  サブフレーム＃０でのＵＥ
４１０  サブフレーム＃１でのＵＥ
４１１  サブフレーム＃３でのＵＥ
４１２  サブフレーム＃４でのＵＥ
４１３  サブフレーム＃５でのＵＥ
４１４  サブフレーム＃６でのＵＥ
４１５  サブフレーム＃７でのＵＥ
４１６  サブフレーム＃８でのＵＥ
４１７  ＵＬサブフレーム＃２
４１８  ＤＬサブフレーム＃６
４１９  ＵＬサブフレーム＃２
４２０  ＦＤＤ  ＰＣｅｌｌ  ＵＬサブフレーム＃８
４２２  ＦＤＤ  ＰＣｅｌｌ  ＵＬサブフレーム＃７
５０１  ＦＤＤ  ＳＣｅｌｌ  ＤＬ
５０２  ＦＤＤ  ＳＣｅｌｌ  ＵＬ
５０３  ＴＤＤ  ＰＣｅｌｌ  ＵＬ
５０４  ＵＬサブフレーム＃４
５０５  ＵＬサブフレーム＃５
５０６  ＵＬサブフレーム＃７
５０７  ＵＬサブフレーム＃８
５０８  ＤＬサブフレーム＃０
５０９  ＤＬサブフレーム＃１
５１０  ＤＬサブフレーム＃２
５１１  ＤＬサブフレーム＃３
５１２  ＤＬサブフレーム＃４
５１３  ＤＬサブフレーム＃０
５１４  ＤＬサブフレーム＃１
５１５  ＤＬサブフレーム＃４
５１６  ＵＬサブフレーム＃７
５１７  ＵＬサブフレーム＃８
５１８  ＵＬサブフレーム＃２
５１９  ＵＬサブフレーム＃３
６０１  ＦＤＤ  ＳＣｅｌｌ  ＤＬ
６０２  ＦＤＤ  ＳＣｅｌｌ  ＵＬ
６０３  ＴＤＤ  ＰＣｅｌｌ  ＵＬ
６０４  ＤＬサブフレーム＃９
６０５  ＤＬサブフレーム＃０
６０６  ＤＬサブフレーム＃１
６０７  ＤＬサブフレーム＃２
６０８  ＤＬサブフレーム＃３
６０９  ＤＬサブフレーム＃４
６１０  ＤＬサブフレーム＃５
６１１  ＤＬサブフレーム＃６
６１２  ＤＬサブフレーム＃７
６１３  ＤＬサブフレーム＃８
６１４  ＵＬサブフレーム＃３
６１５  ＵＬサブフレーム＃１
６１６  ＵＬサブフレーム＃２
６１７  ＤＬサブフレーム＃９
６１８  ＤＬサブフレーム＃０
６１９  ＤＬサブフレーム＃１
６２０  ＤＬサブフレーム＃３
６２１  ＤＬサブフレーム＃４
６２２  ＤＬサブフレーム＃５
６２３  ＤＬサブフレーム＃６
６２４  ＤＬサブフレーム＃７
６２５  ＤＬサブフレーム＃８
６２６  ＵＬサブフレーム＃２
６２７  ＤＬサブフレーム＃６
【図１】
0005950035.tif 000003
【図２Ａ】
0005950035.tif 000004
【図２Ｂ】
0005950035.tif 000005
【図３】
0005950035.tif 000006
【図４】
0005950035.tif 000007
【図５】
0005950035.tif 000008
【図６】
0005950035.tif 000009